(57)【特許請求の範囲】
【請求項１】
ロケーションサービスを実行するための方法であって、
ロケーションサーバにおいて、ユーザ機器（ＵＥ）をサービスする無線アクセスネットワークから１つまたは複数のネットワークベース信号測定値を獲得することと、ここにおいて、前記１つまたは複数のネットワークベース信号測定値は、前記無線アクセスネットワーク内の１つまたは複数のネットワーク要素によって生成された信号測定値を含む、
前記１つまたは複数のネットワークベース信号測定値のうちの少なくとも１つを備える、前記ロケーションサーバから前記ＵＥへの第１のメッセージを送信することと
を備え、
前記ＵＥのロケーションが、前記１つまたは複数のネットワークベース信号測定値に少なくとも部分的に基づいて前記ＵＥによって推定されることが可能である、方法。
【請求項２】
前記ロケーションサーバにおいて、前記１つまたは複数のネットワークベース信号測定値を要求する、前記ＵＥからの第２のメッセージを受信することをさらに備える、請求項１に記載の方法。
【請求項３】
前記第２のメッセージが、オープン・モバイル・アライアンス（ＯＭＡ）ロング・ターム・エボリューション測位プロトコル拡張（ＬＰＰｅ）ロケーション情報要求メッセージを備える、請求項２に記載の方法。
【請求項４】
前記第１のメッセージが、オープン・モバイル・アライアンス（ＯＭＡ）ロング・ターム・エボリューション測位プロトコル拡張（ＬＰＰｅ）ロケーション情報提供メッセージを備える、請求項１に記載の方法。
【請求項５】
前記１つまたは複数のネットワークベース信号測定値が往復時間測定値を備える、請求項１に記載の方法。
【請求項６】
前記１つまたは複数のネットワークベース信号測定値が送信機（Ｔｘ）−受信機（Ｒｘ）時間差測定値を備える、請求項１に記載の方法。
【請求項７】
前記１つまたは複数のネットワークベース信号測定値がアップリンク到着時間（差）測定値を備える、請求項１に記載の方法。
【請求項８】
前記１つまたは複数のネットワークベース信号測定値が到来角（ＡＯＡ）測定値を備える、
請求項１に記載の方法。
【請求項９】
前記第２のメッセージが、周期的またはイベントトリガ型ネットワーク測定値配信についての要求を備える、請求項２に記載の方法。
【請求項１０】
周期的に、または前記１つまたは複数のネットワークベース信号測定値のうちの前記少なくとも１つが、１つまたは複数の前に報告されたネットワークベース信号測定値に対して少なくともしきい値量だけ変化することに少なくとも部分的に応答して、前記第１のメッセージを送信することをさらに備える、請求項２に記載の方法。
【請求項１１】
前記１つまたは複数のネットワーク要素が、少なくとも１つの基地局を含む、請求項１に記載の方法。
【請求項１２】
前記１つまたは複数のネットワーク要素が、少なくとも１つのロケーション測定ユニット（ＬＭＵ）を含む、請求項１に記載の方法。
【請求項１３】
前記１つまたは複数のネットワーク要素が、少なくとも１つのＷｉＦｉアクセスポイントを含む、請求項１に記載の方法。
【請求項１４】
前記ＵＥから前記第２のメッセージを受信するより前に前記１つまたは複数のネットワークベース信号測定値を与えるために、前記ロケーションサーバの能力を前記ＵＥに通知することをさらに備える、請求項２に記載の方法。
【請求項１５】
前記ＵＥの能力を前記ロケーションサーバに通知することをさらに備え、前記ＵＥがサポートする１つまたは複数のネットワークベース信号測定値が前記能力中で示される、請求項１に記載の方法。
【請求項１６】
オープン・モバイル・アライアンス（ＯＭＡ）ロング・ターム・エボリューション測位プロトコル拡張（ＬＰＰｅ）能力提供メッセージを介して前記ＵＥに前記ロケーションサーバの前記能力を送信することをさらに備える、請求項１４に記載の方法。
【請求項１７】
前記１つまたは複数のネットワークベース信号測定値が１つまたは複数のユニバーサル・モバイル通信システム（ＵＭＴＳ）ベース信号測定値を備える、請求項１に記載の方法。
【請求項１８】
前記１つまたは複数のネットワークベース信号測定値が、１つまたは複数のロング・ターム・エボリューション（ＬＴＥ）ベース信号測定値を備える、請求項１に記載の方法。
【請求項１９】
前記ロケーションサーバが、スタンドアロン・サービングモバイルロケーションセンター（ＳＡＳ）、発展型サービングモバイルロケーションセンター（Ｅ−ＳＭＬＣ）、またはセキュアユーザプレーンロケーション（ＳＵＰＬ）ロケーションプラットフォーム（ＳＬＰ）のうちの少なくとも１つを備える、請求項１に記載の方法。
【請求項２０】
前記無線アクセスネットワークがロング・ターム・エボリューション（ＬＴＥ）ネットワークを備え、前記１つまたは複数のネットワークベース信号測定値が、ロング・ターム・エボリューション測位プロトコル・アネックス（ＬＰＰａ）を使用して獲得される、請求項１に記載の方法。
【請求項２１】
１つまたは複数のメッセージを受信するための受信機と、
１つまたは複数のメッセージを送信するための送信機と、
ユーザ機器（ＵＥ）をサービスする無線アクセスネットワークから取得された１つまたは複数のネットワークベース信号測定値を処理することと、ここにおいて、前記１つまたは複数のネットワークベース信号測定値は、前記無線アクセスネットワーク内の１つまたは複数のネットワーク要素によって生成された信号測定値を含む、
前記１つまたは複数のネットワークベース信号測定値のうちの少なくとも１つを備える、前記ＵＥへの第１のメッセージの送信を開始することと
を行うためのプロセッサと
を備える、ロケーションサーバ。
【請求項２２】
前記プロセッサが、前記１つまたは複数のネットワークベース信号測定値を要求する、前記ＵＥから受信した第２のメッセージを処理することがさらに可能である、請求項２１に記載のロケーションサーバ。
【請求項２３】
前記第２のメッセージが、オープン・モバイル・アライアンス（ＯＭＡ）ロング・ターム・エボリューション測位プロトコル拡張（ＬＰＰｅ）ロケーション情報要求メッセージを備える、請求項２２に記載のロケーションサーバ。
【請求項２４】
前記第１のメッセージが、オープン・モバイル・アライアンス（ＯＭＡ）ロング・ターム・エボリューション測位プロトコル拡張（ＬＰＰｅ）ロケーション情報提供メッセージを備える、請求項２１に記載のロケーションサーバ。
【請求項２５】
前記１つまたは複数のネットワークベース信号測定値が往復時間測定値を備える、請求項２１に記載のロケーションサーバ。
【請求項２６】
前記１つまたは複数のネットワークベース信号測定値が送信機（Ｔｘ）−受信機（Ｒｘ）時間差測定値を備える、請求項２１に記載のロケーションサーバ。
【請求項２７】
前記１つまたは複数のネットワークベース信号測定値がアップリンク到着時間（差）測定値を備える、請求項２１に記載のロケーションサーバ。
【請求項２８】
前記第２のメッセージが、周期的またはイベントトリガ型ネットワーク測定値配信についての要求を備える、請求項２２に記載のロケーションサーバ。
【請求項２９】
前記プロセッサが、前記送信機を介して、周期的に、または前記１つまたは複数のネットワークベース信号測定値のうちの前記少なくとも１つが、１つまたは複数の前に報告された測定値に対して少なくともしきい値量だけ変化することに少なくとも部分的に応答して、前記第１のメッセージの送信を開始することがさらに可能である、請求項２２に記載のロケーションサーバ。
【請求項３０】
前記１つまたは複数のネットワークベース要素が、少なくとも１つの基地局を含む、請求項２１に記載のロケーションサーバ。
【請求項３１】
前記プロセッサが、前記ＵＥから前記第２のメッセージを受信するより前に前記１つまたは複数のネットワークベース信号測定値を与えるために前記ロケーションサーバの能力を前記ＵＥに通知するための、前記ＵＥへのメッセージの送信を開始することがさらに可能である、請求項２２に記載のロケーションサーバ。
【請求項３２】
前記プロセッサが、前記ＵＥの能力を前記ロケーションサーバに通知するメッセージを処理することがさらに可能であり、前記ＵＥがサポートする１つまたは複数のネットワークベース信号測定値が前記能力中で示される、請求項２１に記載のロケーションサーバ。
【請求項３３】
前記ロケーションサーバの前記能力が、オープン・モバイル・アライアンス（ＯＭＡ）ロング・ターム・エボリューション測位プロトコル拡張（ＬＰＰｅ）能力提供メッセージを介して前記ＵＥに送信される、請求項３１に記載のロケーションサーバ。
【請求項３４】
前記１つまたは複数のネットワークベース信号測定値が１つまたは複数のユニバーサル・モバイル通信システム（ＵＭＴＳ）ベース信号測定値を備える、請求項２１に記載のロケーションサーバ。
【請求項３５】
前記１つまたは複数のネットワークベース信号測定値が到来角（ＡＯＡ）測定値を備える、請求項２１に記載のロケーションサーバ。
【請求項３６】
前記１つまたは複数のネットワーク要素が、少なくとも１つのロケーション測定ユニット（ＬＭＵ）を含む、請求項２１に記載のロケーションサーバ。
【請求項３７】
前記１つまたは複数のネットワーク要素が、すくなくとも１つのＷｉＦｉアクセスポイントを含む、請求項２１に記載のロケーションサーバ。
【請求項３８】
前記１つまたは複数のネットワークベース信号測定値が、１つまたは複数のロング・ターム・エボリューション（ＬＴＥ）ベース信号測定値を備える、請求項２１に記載のロケーションサーバ。
【請求項３９】
前記ロケーションサーバが、スタンドアロン・サービングモバイルロケーションセンター（ＳＡＳ）、発展型サービングモバイルロケーションセンター（Ｅ−ＳＭＬＣ）、またはセキュアユーザプレーンロケーション（ＳＵＰＬ）ロケーションプラットフォーム（ＳＬＰ）のうちの少なくとも１つを備える、請求項２１に記載のロケーションサーバ。
【請求項４０】
前記無線アクセスネットワークがロング・ターム・エボリューション（ＬＴＥ）ネットワークを備え、前記１つまたは複数のネットワークベース信号測定値が、ロング・ターム・エボリューション測位プロトコル・アネックス（ＬＰＰａ）を使用して獲得される、請求項２１に記載のロケーションサーバ。
【請求項４１】
ロケーションサーバであって、
ユーザ機器（ＵＥ）をサービスする無線アクセスネットワークから１つまたは複数のネットワークベース信号測定値を獲得するための手段と、ここにおいて、前記１つまたは複数のネットワークベース信号測定値は、前記無線アクセスネットワーク内の１つまたは複数のネットワーク要素によって生成された信号測定値を含む、
前記１つまたは複数のネットワークベース信号測定値のうちの少なくとも１つを備える、前記ＵＥへの第１のメッセージを送信するための手段と
を備える、ロケーションサーバ。
【請求項４２】
前記１つまたは複数のネットワークベース信号測定値を要求する、前記ＵＥから受信した第２のメッセージを処理するための手段をさらに備える、請求項４１に記載のロケーションサーバ。
【請求項４３】
前記第２のメッセージが、オープン・モバイル・アライアンス（ＯＭＡ）ロング・ターム・エボリューション測位プロトコル拡張（ＬＰＰｅ）ロケーション情報要求メッセージを備える、請求項４２に記載のロケーションサーバ。
【請求項４４】
前記第１のメッセージが、オープン・モバイル・アライアンス（ＯＭＡ）ロング・ターム・エボリューション測位プロトコル拡張（ＬＰＰｅ）ロケーション情報提供メッセージを備える、請求項４１に記載のロケーションサーバ。
【請求項４５】
前記１つまたは複数のネットワークベース信号測定値が往復時間測定値を備える、請求項４１に記載のロケーションサーバ。
【請求項４６】
前記１つまたは複数のネットワークベース信号測定値が送信機（Ｔｘ）−受信機（Ｒｘ）時間差測定値を備える、請求項４１に記載のロケーションサーバ。
【請求項４７】
前記１つまたは複数のネットワークベース信号測定値がアップリンク到着時間（差）測定値を備える、請求項４１に記載のロケーションサーバ。
【請求項４８】
前記第２のメッセージが、周期的またはイベントトリガ型ネットワーク測定値配信についての要求を備える、請求項４２に記載のロケーションサーバ。
【請求項４９】
送信するための前記手段が、周期的に、または前記１つまたは複数のネットワークベース信号測定値のうちの前記少なくとも１つが、１つまたは複数の前に報告された測定値に対して少なくともしきい値量だけ変化することに少なくとも部分的に応答して、前記第１のメッセージを送信することが可能である、請求項４１に記載のロケーションサーバ。
【請求項５０】
前記１つまたは複数のネットワーク要素が、少なくとも１つの基地局を含む、請求項４１に記載のロケーションサーバ。
【請求項５１】
送信するための前記手段が、前記ＵＥから前記第２のメッセージを受信するより前に前記１つまたは複数のネットワークベース信号測定値を与えるために前記ロケーションサーバの能力を前記ＵＥに通知するための、前記ＵＥへのメッセージを送信することが可能である、請求項４２に記載のロケーションサーバ。
【請求項５２】
前記ロケーションサーバの前記能力が、オープン・モバイル・アライアンス（ＯＭＡ）ロング・ターム・エボリューション測位プロトコル拡張（ＬＰＰｅ）能力提供メッセージを介して前記ＵＥに送信される、請求項５１に記載のロケーションサーバ。
【請求項５３】
前記１つまたは複数のネットワークベース信号測定値が１つまたは複数のユニバーサル・モバイル通信システム（ＵＭＴＳ）ベース信号測定値を備える、請求項４１に記載のロケーションサーバ。
【請求項５４】
前記ロケーションサーバが、スタンドアロン・サービングモバイルロケーションセンター（ＳＡＳ）、発展型サービングモバイルロケーションセンター（Ｅ−ＳＭＬＣ）、またはセキュアユーザプレーンロケーション（ＳＵＰＬ）ロケーションプラットフォーム（ＳＬＰ）のうちの少なくとも１つを備える、請求項４１に記載のロケーションサーバ。
【請求項５５】
ユーザ機器（ＵＥ）をサービスする無線アクセスネットワークから受信した１つまたは複数のネットワークベース信号測定値を処理することと、ここにおいて、前記１つまたは複数のネットワークベース信号測定値は、前記無線アクセスネットワーク内の１つまたは複数のネットワーク要素によって生成された信号測定値を含む、
前記１つまたは複数のネットワークベース信号測定値のうちの少なくとも１つを備える、前記ＵＥへの第１のメッセージの送信を開始することと
を行うように、ロケーションサーバにおける専用コンピューティング装置によって実行可能である機械可読命令を記憶した非一時的記憶媒体。
【請求項５６】
前記命令が、前記１つまたは複数のネットワークベース信号測定値を処理する前に、前記１つまたは複数のネットワークベース信号測定値を要求する、前記ＵＥから受信した第２のメッセージを処理するように、前記専用コンピューティング装置によってさらに実行可能である、請求項５５に記載の非一時的記憶媒体。
【請求項５７】
前記命令が、前記ＵＥから前記第２のメッセージを受信するより前に前記１つまたは複数のネットワークベース信号測定値を与えるためにロケーションサーバの能力を前記ＵＥに通知するための、メッセージの送信を開始するように、前記専用コンピューティング装置によってさらに実行可能である、請求項５６に記載の非一時的記憶媒体。
【請求項５８】
前記命令が、オープン・モバイル・アライアンス（ＯＭＡ）ロング・ターム・エボリューション測位プロトコル拡張（ＬＰＰｅ）能力提供メッセージを介して前記ＵＥへの前記ロケーションサーバの前記能力の送信を開始するように、前記専用コンピューティング装置によってさらに実行可能である、請求項５７に記載の非一時的記憶媒体。
【請求項５９】
ユーザ機器（ＵＥ）のための方法であって、
１つまたは複数のネットワークベース信号測定値を備える、ロケーションサーバからの第１のメッセージを受信することと、ここにおいて、前記１つまたは複数のネットワークベース信号測定値は、無線アクセスネットワーク内の１つまたは複数のネットワーク要素によって生成された信号測定値を含む、
前記１つまたは複数のネットワークベース信号測定値に少なくとも部分的に基づいて前記ＵＥのロケーションを判断することと
を備える、方法。
【請求項６０】
前記１つまたは複数のネットワークベース信号測定値を要求する、前記ロケーションサーバへの第２のメッセージを送信することをさらに備える、請求項５９に記載の方法。
【請求項６１】
前記第２のメッセージが、オープン・モバイル・アライアンス（ＯＭＡ）ロング・ターム・エボリューション測位プロトコル拡張（ＬＰＰｅ）ロケーション情報要求メッセージを備える、請求項６０に記載の方法。
【請求項６２】
前記第１のメッセージが、オープン・モバイル・アライアンス（ＯＭＡ）ロング・ターム・エボリューション測位プロトコル拡張（ＬＰＰｅ）ロケーション情報提供メッセージを備える、請求項５９に記載の方法。
【請求項６３】
前記１つまたは複数のネットワークベース信号測定値が往復時間測定値を備える、請求項５９に記載の方法。
【請求項６４】
前記１つまたは複数のネットワークベース信号測定値が送信機（Ｔｘ）−受信機（Ｒｘ）時間差測定値を備える、請求項５９に記載の方法。
【請求項６５】
前記１つまたは複数のネットワークベース信号測定値がアップリンク到着時間（差）測定値を備える、請求項５９に記載の方法。
【請求項６６】
前記第２のメッセージが、周期的またはイベントトリガ型ネットワーク測定値配信についての要求を備える、請求項６０に記載の方法。
【請求項６７】
前記１つまたは複数のネットワーク要素が、少なくとも１つの基地局を含む、請求項５９に記載の方法。
【請求項６８】
前記ロケーションサーバに前記第２のメッセージを送信するより前に前記１つまたは複数のネットワークベース信号測定値を与えるための、前記ロケーションサーバの能力を受信することをさらに備える、請求項６０に記載の方法。
【請求項６９】
オープン・モバイル・アライアンス（ＯＭＡ）ロング・ターム・エボリューション測位プロトコル拡張（ＬＰＰｅ）能力提供メッセージを介して前記ロケーションサーバから前記ロケーションサーバの前記能力を受信することをさらに備える、請求項６８に記載の方法。
【請求項７０】
前記ＵＥの能力を前記ロケーションサーバに通知することをさらに備え、前記ＵＥがサポートする１つまたは複数のネットワークベース信号測定値が前記能力中で示される、請求項５９に記載の方法。
【請求項７１】
前記ＵＥのロケーションを推定するために、前記１つまたは複数のネットワークベース信号測定値をＵＥベース測定値と組み合わせることをさらに備える、請求項５９に記載の方法。
【請求項７２】
ユーザ機器（ＵＥ）であって、
１つまたは複数のメッセージを送信するための送信機と、
１つまたは複数のメッセージを受信するための受信機と、
ロケーションサーバから受信した第１のメッセージを処理することであって、前記第１のメッセージが、１つまたは複数のネットワークベース信号測定値を備える、処理することと、ここにおいて、前記１つまたは複数のネットワークベース信号測定値は、無線アクセスネットワーク内の１つまたは複数のネットワーク要素によって生成された信号測定値を含む、
前記１つまたは複数のネットワークベース信号測定値に少なくとも部分的に基づいて前記ＵＥのロケーションを推定することと
を行うためのプロセッサと
を備える、ＵＥ。
【請求項７３】
前記プロセッサが、前記１つまたは複数のネットワークベース信号測定値を要求する、前記ロケーションサーバへの第２のメッセージの送信を開始することがさらに可能である、請求項７２に記載のＵＥ。
【請求項７４】
前記１つまたは複数のネットワーク要素が、少なくとも１つの基地局を含む、請求項７２に記載のＵＥ。
【請求項７５】
前記プロセッサが、前記ＵＥのロケーションを推定するために、前記１つまたは複数のネットワークベース信号測定値をＵＥベース測定値と組み合わせることが可能である、請求項７２に記載のＵＥ。
【請求項７６】
ユーザ機器（ＵＥ）であって、
１つまたは複数のネットワークベース信号測定値を備える、ロケーションサーバからの第１のメッセージを受信するための手段と、ここにおいて、前記１つまたは複数のネットワークベース信号測定値は、無線アクセスネットワーク内の１つまたは複数のネットワーク要素によって生成された信号測定値を含む、
前記１つまたは複数のネットワークベース信号測定値に少なくとも部分的に基づいて前記ＵＥのロケーションを推定するための手段と
を備える、ＵＥ。
【請求項７７】
前記１つまたは複数のネットワークベース信号測定値を要求する、前記ロケーションサーバへの第２のメッセージの送信を開始するための手段をさらに備える、請求項７６に記載のＵＥ。
【請求項７８】
前記１つまたは複数のネットワーク要素が、少なくとも１つの基地局を含む、請求項７６に記載のＵＥ。
【請求項７９】
前記ＵＥのロケーションを推定するために、前記１つまたは複数のネットワークベース信号測定値をＵＥベース信号測定値と組み合わせるための手段をさらに備える、請求項７６に記載のＵＥ。
【請求項８０】
ロケーションサーバから受信した第１のメッセージを処理することであって、前記第１のメッセージが、１つまたは複数のネットワークベース信号測定値を備える、処理することと、ここにおいて、前記１つまたは複数のネットワークベース信号測定値は、無線アクセスネットワーク内の１つまたは複数のネットワーク要素によって生成された信号測定値を含む、
前記１つまたは複数のネットワークベース信号測定値に少なくとも部分的に基づいてユーザ機器（ＵＥ）のロケーションを推定することと
を行うように、前記ＵＥにおける専用コンピューティング装置によって実行可能である機械可読命令を記憶した非一時的記憶媒体。
【請求項８１】
前記命令が、前記１つまたは複数のネットワークベース信号測定値を要求する、前記ロケーションサーバへの第２のメッセージの送信を開始するように、前記専用コンピューティング装置によってさらに実行可能である、請求項８０に記載の非一時的記憶媒体。
【請求項８２】
前記命令が、前記ＵＥのロケーションを推定するために、前記１つまたは複数のネットワークベース信号測定値をＵＥベース信号測定値と組み合わせるように、前記専用コンピューティング装置によってさらに実行可能である、請求項８０に記載の非一時的記憶媒体。
【発明の詳細な説明】
【技術分野】
【０００１】
関連出願
本出願は、その全体が参照により本明細書に組み込まれる、「METHOD FOR PROVIDING NETWORK-BASED MEASUREMENTS FOR USER EQUIPMENT-BASED POSITIONING」と題する２０１２年４月９日に出願された米国非仮出願番号第１３／４４２，７３４号、および「METHOD FOR PROVIDING NETWORK MEASUREMENTS FOR UE-BASED POSITION LOCATION」と題する２０１１年４月１１日に出願された米国仮出願番号第６１／４７４，１４２号の優先権を主張するＰＣＴ出願である。
【背景技術】
【０００２】
[0001]  本明細書で開示する主題は、モバイルデバイスなどのユーザ機器に測位のためのネットワークベース測定値を与えるための方法、装置、および／またはシステムに関する。  
情報：
[0002]  ユーザプレーン（ＵＰ：User Plane）測位（positioning）は、オープン・モバイル・アライアンス（Open Mobile Alliance）（ＯＭＡ）によって作り出されたセキュアユーザプレーンロケーション（ＳＵＰＬ：Secure User Plane Location）仕様を備える。ＵＰ測位は、基礎をなす無線アクセスネットワーク（ＲＡＮ：Radio Access Network）に常に依存するとは限らない。ユーザ機器（ＵＥ）または移動局（ＭＳ）は、ＵＥとロケーションサーバとの間のデータ接続を介して、ＳＵＰＬロケーションプラットフォーム（SULP Location Platform）（ＳＬＰ）などのロケーションサーバと通信し得る。そのデータ接続は、たとえば、ワイヤレスネットワークの場合はＲＡＮを含む、サービング・ワイヤレスネットワークまたはワイヤラインネットワーク（a serving wireless or wireline network）によってサポートされ得る。そのようなデータ接続により、ロケーションサーバは、ＵＥに支援データを与えることが可能になり得る。そのような支援データは、たとえば、アシスト型グローバル航法衛星（Assisted-Global Navigation Satellite）（Ａ−ＧＮＳＳ）支援データを備え得る。データ接続により、ＵＥは、サーバベースの位置計算、たとえば、いわゆるＵＥ支援モード（UE-assisted mode）のために、ロケーションサーバにＡ−ＧＮＳＳ擬似距離（pseudoranges）などのロケーション測定値を報告することも可能になり得る。支援データは、Ａ−ＧＮＳＳのためのワイドエリア参照ネットワーク（ＷＡＲＮ：Wide Area Reference Network）を介して、またはネットワークオペレーションおよびメンテナンス（Ｏ＆Ｍ）センター（Operation and Maintenance center）へのインターフェースを介して、または、たとえば、基地局（ＢＳ）座標（coordinates）などの必要な支援データをＳＬＰに与えることが可能である、ネットワーク中の何らかの他のエンティティを介してなど、プロプライエタリな手段（proprietary means）を介して、ロケーションサーバに
よって収集され得る。
【０００３】
[0003]  ＳＵＰＬなどのユーザプレーン測位ソリューションは、ネットワークアクセスおよびデータトランスポートを与えるために使用されている任意のネットワーク技術と協働する（work with）ように設計されている。したがって、ユーザプレーン測位ソリューションは、たとえば、ほんのいくつかの例を挙げれば、移動通信のためのグローバルシステム（Global System for Mobile Communications）（ＧＳＭ）（登録商標）、ユニバーサル・モバイル通信システム（Universal Mobile Telecommunications System）（ＵＭＴＳ）、またはロング・ターム・エボリューション（Long Term Evolution）（ＬＴＥ）などの任意の特定のアクセスネットワークから独立（independent of）であり得る。ＳＵＰＬなどのＵＰロケーションソリューションのアクセスネットワーク独立性（access network independence）を可能にするために、たとえば、ロケーションサーバ（たとえば、ＳＵＰＬロケーションプラットフォーム（SUPL Location Platform）（ＳＬＰ））によっておよび／または端末によって、端末（たとえば、ＵＥまたはＭＳ）の位置計算のために必要なすべての測定値および情報が与えられなければならない。ユーザプレーン測位は、Ａ−ＧＮＳＳベースのロケーション方法など、基礎をなす（underlying）アクセスネットワーク（たとえば、ＲＡＮ）からの追加の端末固有の測定値が必要とされないＵＥ中心のロケーション方法（UE centric location methods）のために設計されている。ＳＵＰＬなどのユーザプレーン測位ソリューションは、ＵＥによるＲＡＮ（たとえば、ＲＡＮ中の基地局および／またはＷｉＦｉアクセスポイント）の測定値を利用し得、したがって、常にＲＡＮから完全に独立しているとは限らない。しかしながら、特定の実装形態では、このソリューションは、ＵＥによって送信された信号の、ＲＡＮ中の要素によって生成された測定値に依存しない。
【０００４】
[0004]  しかしながら、いくつかの他の測位／ロケーションソリューションは、ＵＥによって送信された信号のＲＡＮ内の他のアクセスポイントおよびノード（たとえば、ロケーション測定ユニット（ＬＭＵ：Location Measurement Unit）、ＷｉＦｉアクセスポイントなど）、または、基地局、において生成された測定値を必要とし得る。これらの他のソリューションは、制御情報および測定値を転送するために既存のネットワークインターフェースおよびプロトコルが使用されるいわゆる制御プレーンソリューション（control plane solutions）を含み得る。制御プレーンロケーションソリューションでは、基地局、ＷｉＦｉアクセスポイントおよびＬＭＵなどのネットワーク要素によるターゲットＵＥについて生成された測定値は、ＵＥのロケーションの計算のためにロケーションサーバに転送される。この測定値は、ＵＥに転送されず、したがって、たとえば、ＳＵＰＬを用いたＵＥベースのモード動作のためにＵＥがそれ自体のロケーションを計算するのを助けるために、ＵＥにとって利用可能ではない。したがって、ＳＵＰＬなどのユーザプレーン測位ソリューションは、アクセスネットワーク内で実行される測定を必要とするネットワークベースのロケーション技術を利用することができない。これにより、測位の精度が低くなることになり得、場合によっては、たとえば、ＵＥが、屋内にあり、正確なロケーション推定値（location estimate）または何らかのロケーション推定値をもたらす（yield）ために十分な数のＧＮＳＳ衛星ならびに／またはネットワーク基地局およびＷｉＦｉアクセスポイントを測定することができないときなど、ロケーションを取得することができないことになり得る。
【発明の概要】
【０００５】
[0005]  特定の一実装形態では、ロケーションサービスを実行するための方法が提供される。１つまたは複数のネットワークベース測定値が、ロケーションサーバにおいて、ユーザ機器（ＵＥ）をサービスする無線アクセスネットワークから獲得され（acquired）得る。第１のメッセージが、ロケーションサーバからＵＥに送信され得る。第１のメッセージは、１つまたは複数のネットワークベース測定値のうちの少なくとも１つを備え得る。ＵＥのロケーションは、１つまたは複数のネットワークベース測定値に少なくとも部分的に基づいてＵＥによって判断され得る。
【０００６】
[0006]  特定の一実装形態では、ロケーションサーバが提供される。本ロケーションサーバは、１つまたは複数のメッセージを受信するための受信機と、１つまたは複数のメッセージを送信するための送信機とを含み得る。プロセッサは、（ａ）ユーザ機器（ＵＥ）をサービスする無線アクセスネットワークから取得した１つまたは複数のネットワークベース測定値を処理すること、および（ｂ）１つまたは複数のネットワークベース測定値のうちの少なくとも１つを備える、ＵＥへの第１のメッセージの送信を開始することを行い得る。
【０００７】
[0007]  特定の一実装形態では、ロケーションサーバが提供される。本ロケーションサーバは、（ａ）ロケーションサーバにおいて、ユーザ機器（ＵＥ）をサービスする無線アクセスネットワークから１つまたは複数のネットワークベース測定値を獲得するための手段、および（ｂ）１つまたは複数のネットワークベース測定値のうちの少なくとも１つを備える、ＵＥへの第１のメッセージを送信するための手段を備え得る。
【０００８】
[0008]  特定の一実装形態では、（ａ）ロケーションサーバにおいて、ユーザ機器（ＵＥ）をサービスする無線アクセスネットワークから受信した１つまたは複数のネットワークベース測定値を処理すること、および（ｂ）１つまたは複数のネットワークベース測定値のうちの少なくとも１つを備える、ＵＥへの第１のメッセージの送信を開始することを行うように専用コンピューティング装置によって実行可能である機械可読命令を記憶した非一時的記憶媒体を備える物品が提供される。
【０００９】
[0009]  特定の一実装形態では、ユーザ機器（ＵＥ）において実装され得る方法が提供される。第１のメッセージがロケーションサーバから受信され得、第１のメッセージは、１つまたは複数のネットワークベース測定値を示す。ＵＥのロケーションは、ネットワークベース測定値に少なくとも部分的に基づいてＵＥによって判断され得る。
【００１０】
[0010]  特定の一実装形態では、ユーザ機器（ＵＥ）が提供される。送信機は１つまたは複数のメッセージを送信し得、受信機は１つまたは複数のメッセージを受信し得る。プロセッサは、（ａ）ロケーションサーバから受信した第１のメッセージを処理することであって、第１のメッセージが１つまたは複数のネットワークベース測定値を備える、処理すること、および（ｂ）１つまたは複数のネットワークベース測定値に少なくとも部分的に基づいてＵＥのロケーションを判断することを行い得る。
【００１１】
[0011]  特定の一実装形態では、ユーザ機器（ＵＥ）が提供される。本ユーザ機器は、（ａ）１つまたは複数のネットワークベース測定値を備える、ロケーションサーバからの第１のメッセージを受信するための手段、および（ｂ）１つまたは複数のネットワークベース測定値に少なくとも部分的に基づいてＵＥのロケーションを判断するための手段を備え得る。
【００１２】
[0012]  特定の一実装形態では、（ａ）１つまたは複数のネットワークベース測定値を備える、ロケーションサーバへのユーザ機器（ＵＥ）からの第１のメッセージの送信を開始すること、および（ｂ）１つまたは複数のネットワークベース測定値のうちの少なくとも１つを備える、ロケーションサーバからのＵＥによって受信された第２のメッセージを処理することを行うように専用コンピューティング装置によって実行可能である機械可読命令を記憶した非一時的記憶媒体を備える物品が提供される。
【図面の簡単な説明】
【００１３】
【図１】一実装形態による、通信システムの図。
【図２】一実装形態による、基地局支援測位（base station-assisted positioning）のための方法のメッセージフロー図。
【図３】一実装形態による、ロケーションサーバがＵＥにネットワークベース測定値を与えるための方法の流れ図。
【図４】一実装形態による、ＵＥがネットワークベース測定値を要求し、受信するための方法の流れ図。
【図５】特定の一実装形態による、セキュアユーザプレーンロケーション（ＳＵＰＬ）対応端末（ＳＥＴ：SUPL Enabled Terminal）の概略図。
【図６】特定の一実装形態による、ロケーションサーバの概略図。
【詳細な説明】
【００１４】
[0019]  モバイルフォン、ノートブック、コンピュータなどのモバイルデバイスは、たとえば、ほんの数例を挙げると、衛星測位システム（たとえば、ＧＰＳ、Ｇａｌｉｌｅｏ、Ｇｌｏｎａｓｓなど）、アドバンスト・フォワードリンク・トリラテレーション（ＡＦＬＴ：advanced forward link trilateration）、または観測された到着時間差（ＯＴＤＯＡ：Observed Time Difference of Arrival）など、いくつかの技術のうちのいずれか１つを使用して、比較的高い精度で、ロケーションおよび／または位置を推定する能力（ability to estimate location and/or position）を有し得る。ロケーションまたは位置推定技法は、モバイルデバイスの受信機において、またはそれによって獲得される信号に少なくとも部分的に基づく測定値の処理を含み得る。たとえば、モバイルデバイスは、地上波基地局（terrestrial base station）から送信された衛星測位システム（ＳＰＳ：satellite positioning system）信号あるいはパイロット信号または他の基準信号を獲得し得る。位相、信号強度、到着時間、および／または往復遅延（round trip delay）など、獲得された信号の様々な測定された特性は、モバイルデバイスの位置またはロケーションフィックス（location fix）を計算するために利用され得る。
【００１５】
[0020]  モバイルデバイスのためのロケーション技術には、（ａ）ＭＳまたはＵＥベースモードおよび（ｂ）ＭＳまたはＵＥ支援モードの２つの基本モードがある。これらの２つのモードは、最終位置計算（final position calculation）が実行されている場所が異なる。ＵＥ支援モードでは、ＵＥは、測定を実行し、ＵＥロケーションが計算されるロケーションサーバに測定値を転送する。ＵＥベースモードでは、ＵＥは、測定を実行し、次いで、それ自体のロケーションを計算する。どちらのモードでも、ロケーションサーバは、ＵＥが（たとえば、ＧＮＳＳ衛星またはネットワーク基地局の）信号を獲得し、それらを測定するのを支援するためにＵＥに支援データを与え得る。ＵＥベースモードでは、サーバはまた、ＵＥがそれのロケーションを計算することを可能にするのを助けるために支援データを与え得、そのような支援データは、Ａ−ＧＮＳＳ測位が使用される場合は、ＧＮＳＳ衛星についての軌道（エフェメリス）データを含み、ならびに／あるいはＡＦＬＴまたはＯＴＤＯＡなどの地上波測位方法（terrestrial positioning methods）が使用される場合は、ネットワーク基地局およびアクセスポイントについてのデータ（たとえば、基地局またはアクセスポイントのロケーションおよび伝送特性）を含み得る。
【００１６】
[0021]  本明細書で言及する「ロケーション」は、基準の位置に従う対象または物の所在に関連する情報を指すことがある。ロケーションは、ロケーション推定値、位置または位置推定値などとも呼ばれることがあり、これらの用語は、本明細書では同義語として使用される。ここで、たとえば、ロケーションは、緯度および経度などの地理的座標として表現され得る。代替的に、そのようなロケーションは、所在地住所、市町村または他の政府管轄区域（jurisdiction）、郵便番号などとして表現され得る。ただし、これらはロケーションが特定の実施形態に従ってどのように表現され得るかの例にすぎず、請求する主題はこれらの事項について限定されない。本明細書ではＳＵＰＬ対応端末（ＳＥＴ）とも呼ばれる、ＳＵＰＬをサポートするＵＥは、たとえば、いくつか（たとえば、４つ以上）の衛星送信機からの擬似距離測定値を相関させることによって、ＧＰＳ、ＧａｌｉｌｅｏまたはＧｌｏｎａｓｓなどの衛星測位システム（ＳＰＳ）からのナビゲーション信号に少なくとも部分的に基づいて、それのロケーションを推定し得る。代替的に、そのようなロケーションは、セルベーストランシーバの位置が少なくとも（ａ）セルベース通信信号中のメッセージがセルベーストランシーバと通信システムとの間を移動する時間を表す時間測定値、および（ｂ）ＳＰＳ信号が移動する時間を表す時間測定値の組合せから判断されるハイブリッドシステムから推定され得る。
【００１７】
[0022]  しかしながら、モバイルデバイスは、峡谷などのいくつかの地理的エリア内または屋内ロケーション内など、ＳＰＳ信号に常にアクセスできるとは限らないことがある。さらに、いくつかのモバイルデバイスは、たとえば、ＳＰＳ信号を処理することができないことがある。モバイルデバイスはまた、ＳＰＳ能力がない場合にそれのロケーションを判断するための十分なネットワーク基地局および他のアクセスポイントからの信号にアクセスできないことがある。一般に、モバイルデバイスは、（たとえば、ＵＥベースモードでＡＦＬＴまたはＯＴＤＯＡを使用して）それのロケーションを判断するために、少なくとも３つ、好ましくは４つの基地局およびアクセスポイントから信号を受信し、それらを測定する必要があるが、モバイルデバイスがこの測位をサポートすることができない場合、またはネットワークが必要な支援データ（たとえば、基地局およびアクセスポイントについての正確なロケーションおよびタイミング情報）を与えることができない場合、またはモバイルデバイスが、良好なジオメトリ（geometry）を有する少なくとも３つの基地局およびアクセスポイントから信号を受信することができない場合、ロケーション推定または正確なロケーション推定は可能でないことがある。
【００１８】
[0023]  いくつかの測位またはロケーション技術は、基地局、アクセスポイントまたは無線アクセスネットワーク内のＬＭＵなどの他のエンティティにおいて生成される測定値を採用し得る。そのようなロケーション技術は、ネットワークベースのロケーション方法と呼ばれることがある。基地局測定値は、ラウンドトリップ時間（ＲＴＴ：Round Trip Time）測定値、または他の受信（Ｒｘ）送信（Ｔｘ）時間オフセット（たとえば、第３世代パートナーシップ・プロジェクト（3rd Generation Partnership Project）（３ＧＰＰ）ロング・ターム・エボリューション（Long Term Evolution）（ＬＴＥ）に対して定義される「発展型ノードＢ（ｅＮＢ）ＲｘＴｘ時間差」）を含み得る。ＲＴＴは、ユニバーサル・モバイル通信システム（Universal Mobile Telecommunications System）（ＵＭＴＳ）ＲＡＮではノードＢと呼ばれる基地局によって生成されたＵＭＴＳ  地上無線アクセスネットワーク（ＵＭＴＳ Terrestrial Radio Access Network）（ＵＴＲＡＮ）測定値を備え得る。ＲＴＴ測定値およびＲｘ／Ｔｘ時間オフセットは、モバイルデバイスとネットワーク基地局またはアクセスポイントとの間の往復信号伝搬時間（round-trip signal propagation time）を示し得る。知られている信号伝搬速度（通常は光速）を使用して、モバイルデバイスとネットワーク基地局またはアクセスポイントとの間の距離が判断され得、次いで、その距離が、（たとえば、基地局またはアクセスポイントの知られているロケーションを利用して）モバイルデバイスのロケーションを判断するのを助けるために使用され得る。たとえば、ＲＴＴ測定値は、モバイルデバイスの位置を特定するために、２つのＯＴＤＯＡまたはＡＦＬＴ測定値と組み合わされ（combined）得る。
【００１９】
[0024]  ＲＴＴ測定値を取得することに加えて、またはその代わりに、ネットワーク基地局、アクセスポイントまたはＬＭＵは、モバイルデバイスから送信される何らかの信号の到着時間を取得し得る。（測定値を生成した基地局またはアクセスポイントを含む）特定の基地局またはアクセスポイントの送信タイミングに対する到着時間、または絶対ＧＮＳＳ（たとえば、ＧＰＳ）時間に対する到着時間が判断され得る。他の基地局およびアクセスポイントによって追加の到着時間測定値が取得され得る。これらの測定値は、アップリンク到着時間差（Ｕ−ＴＤＯＡ：Uplink Time Difference of Arrival）または到着時間（ＴＯＡ：Time of Arrival）などの位置方法を使用して（たとえば、基地局、アクセスポイントおよびＬＭＵの知られているロケーションを利用して）モバイルデバイスのロケーションを導出し得る共通のロケーションサーバに与えられ得る。
【００２０】
[0025]  モバイルデバイスからの信号の他のタイプの基地局（ＢＳ）測定値は、到来角（angle of arrival）（ＡＯＡ）測定値、受信総信号電力測定値（received total signal power measurement）、またはＲＡＮによって生成された任意の他の測定値を含み得る。いくつかのＢＳ測定値は、さらに、位置ロケーション目的のために有用であるために、ロケーションサーバにおいて、ＵＥ支援モード測位を使用するＵＥによって与えられるＵＥ測定値と組み合わされ（combined）得る。一例では、ＢＳ測定値は、３ＧＰＰ  ＴＳ  ２５．２１５において標準化されたＵＴＲＡＮ測定値、または３ＧＰＰ  ＴＳ  ３６．２１４において標準化された発展型ＵＴＲＡＮ（Evolved UTRAN）（Ｅ−ＵＴＲＡＮ）測定値を備え得る。
【００２１】
[0026]  たとえば、ラウンドトリップ時間（ＲＴＴ）測定値は、ＵＭＴＳ内での測位のために有用であり得る。ＵＭＴＳ中のＲＴＴは、ＢＳ（ノードＢ）からユーザ機器（ＵＥ）へのダウンリンク（ＤＬ）送信に必要な時間＋ＵＥからＢＳへのアップリンク（ＵＬ）送信に必要な時間である。本明細書で使用する「ユーザ機器（ＵＥ）」は、たとえば、ＵＭＴＳ内で通信するためにエンドユーザによって直接使用されるデバイスを指すことがある。一実装形態では、ユーザ機器は、ほんの２つの可能な例を挙げれば、モバイルブロードバンドアダプターを装備したラップトップコンピュータ、ハンドヘルド電話などのモバイルデバイスを備え得る。
【００２２】
[0027]  ロケーション推定目的のためにユーザ機器と基地局との間の距離を計算するためのＲＴＴ測定値を利用するために、いくつかの実装形態では、ＤＬ信号の受信とＵＬ信号の送信との間のユーザ機器の内部処理遅延（internal processing delay）を考慮に入れる必要があり得る。この内部遅延は、ＵＭＴＳ内の固定時間遅延（fixed time delay）を備えないことがあり、ユーザ機器によって測定され、「ＵＥ  Ｒｘ−Ｔｘ時間差」として示され得る。ＲＴＴとＵＥ  Ｒｘ−Ｔｘ時間差とは、ユーザ機器と、ネットワーク要素からＤＬ信号が送信され、ネットワーク要素にＵＬ信号が送信されるそのネットワーク要素との間の距離を計算することを可能にするために組み合わされ得る。たとえば、ＲＴＴが１．００ｕｓｅｃであると測定され、ＵＥ  Ｒｘ−Ｔｘ時間差が０．４０ｕｓｅｃであると測定された場合、Ｒｘ−Ｔｘ時間差が１．００ｕｓｅｃのＲＴＴから減算され、ＵＬ信号とＤＬ信号とがＵＥとネットワーク要素との間を伝搬した総時間間隔の０．６０ｕｓｅｃの時間間隔が生じ得る。そのような時間間隔は、ユーザ機器と基地局との間のＵＬ信号とＤＬ信号との別個の送信を考慮するために２で割られて、０．３０ｕｓｅｃの一方向時間間隔を生成し得る。この一方向時間間隔は、ワイヤレス信号が伝わる光速、たとえば２９９，７９２，４５８メートル／秒で乗算されて、ＵＥとネットワーク要素との間の距離が約８９．９３メートルであることを計算し得る。
【００２３】
[0028]  ユーザ機器とネットワーク要素との間の距離を推定するための上記で説明した方法は、測位プロセスが無線アクセスネットワーク動作に緊密に統合される制御プレーン測位においてなど、ＵＥ支援モードでのＵＭＴＳ測位において利用され得る。制御プレーンソリューションでは、測位イベントを開始するために使用されるシグナリングと測位イベント自体に関係するシグナリングとは、ネットワークの制御チャネルを介して行われ得る。通常のネットワーク動作では、そのようなネットワークベース測定値は、ネットワーク自体において（たとえば、ネットワークロケーションサーバ中で）のみ必要とされ、端末においては必要とされないので、そのような制御チャネルは、一般に、端末にネットワークベース測定値を配信するための手段を与えない。したがって、端末への測定値配信のために制御チャネルが利用可能でないので、端末の測位のために使用されるネットワークベース測定値を端末に与えることはできない。したがって、上記で説明したＲＴＴなどのネットワークベース測定値は、現在、たとえば、ＵＭＴＳのための３ＧＰＰ  ＴＳ  ２５．３０５およびＬＴＥのための３ＧＰＰ  ＴＳ  ３６．３０５に記載されているように、ネットワークにおいて（たとえば、ロケーションサーバにおいて）位置が計算されるネットワークベース測位ソリューションのためにのみ使用され得る。
【００２４】
[0029]  上記の例では、ＲＴＴ、信号強度、到着時間、ＡＯＡなどのネットワークベース測定値は、基地局、アクセスポイントまたはＬＭＵなどのネットワーク要素によって取得され得、モバイルデバイスのロケーションの計算のためにネットワークロケーションサーバに与えられ得る。場合によっては、モバイルデバイスは、ロケーションサーバがモバイルデバイスのロケーションを判断するのを助けるために、ネットワークロケーションサーバにＵＥ支援モードでの追加の測定値を与え得る。どちらのタイプの測定値も単独では不十分であることがあるので、ロケーション推定値または正確なロケーション推定値を取得するために両方のタイプの測定値が必要であり得る。しかしながら、現在のロケーションソリューションは、ロケーションサーバまたはネットワークがモバイルデバイスにネットワークベース測定値を送ることを可能にしないことがある。たとえば、３ＧＰＰ  ＴＳ  ２５．３０５およびＴＳ  ３６．３０５において定義されているものなどの制御プレーンロケーションソリューションでは、およびＳＵＰＬのようなユーザプレーンソリューションでは、制御プレーンまたはユーザプレーンプロトコルおよびプロシージャは、モバイルデバイスにネットワークベース測定値を送ることに対する用意をしていない。その結果、ＵＥベースの測位が制御プレーンまたはユーザプレーンロケーションソリューションのいずれかとともに使用されるとき、ＵＥは、それのロケーションを取得するか、またはそれのロケーションを正確に取得するために不十分な測定値を取得し得る。しかしながら、ネットワークおよびネットワークロケーションサーバに対する負荷およびそれらへの依存がより低いので、ＵＥベースの測位は、別な面では、ＵＥ支援の測位またはネットワークベースの測位よりも効率的かつ正確であり得る。したがって、モバイルデバイスにネットワークベースの位置測定値を転送することを可能にすることには利点があり得る。
【００２５】
[0030]  ＵＥベースのロケーションのためにＵＥベース測定値とネットワークベース測定値の両方がＵＥにとって利用可能である必要があり得る別の例示的な実装形態は、ロング・ターム・エボリューション（Long Term Evolution）（ＬＴＥ）におけるタイミングアドバンス（Ｔａｄｖ：Timing Advance）ベースのロケーション方法を含む。ＬＴＥにおけるタイミングアドバンスは、位置ロケーション目的のために活用され得るＵＭＴＳ距離情報において利用されるＲＴＴと同様である。ＬＴＥにおけるタイミングアドバンスは、ｅＮＢ  Ｒｘ−Ｔｘ時間差とＵＥ  Ｒｘ−Ｔｘ時間差との間の時間間隔または差として定義され、「ｅＮＢ」は、発展型ノードＢまたは発展型ＢＳを指す。
【００２６】
[0031]  他のネットワークベースのロケーション方法は、たとえば、３ＧＰＰ  ＴＳ  ２５．３０５に記載されているように、ＵＭＴＳおよびＬＴＥのためのＵ−ＴＤＯＡ方法を含み得る。ＵＥベースのロケーション判断のための特定の一実装形態では、そのようなＵ−ＴＤＯＡ測定値をＵＥが測位のために利用できるようにする必要があり得る。たとえば、ハイブリッドのＵＥベースのロケーション推定または判断のために、ネットワークベースのＵ−ＴＤＯＡ測定値を、たとえば、ＵＥにおけるＡ−ＧＮＳＳ擬似距離測定値と組み合わせることは有利であり得る。
【００２７】
[0032]  したがって、いくつかの実装形態では、既存のロケーションソリューションおよびアーキテクチャに影響を及ぼすことなしに、ＵＥベースのロケーション判断のために、ＵＥに基地局および他のネットワークベース測定値を与えることは有益であり得る。
【００２８】
[0033]  １つまたは複数の実装形態によれば、方法は、たとえば、ＵＥがＵＥベースの測位を実行できるようにするために、ＵＥに基地局または他のネットワークベース測定値を与え得る。実装形態は、ＳＵＰＬプロトコルを介してなど、ユーザプレーンプロセス内で利用され得る。しかしながら、そのような方法は制御プレーン測位のためにも利用され得ることを諒解されたい。実装形態は、ＯＭＡ  ＬＰＰ拡張（ＬＰＰｅ：LPP Extensions）仕様ＯＭＡ−ＴＳ−ＬＰＰｅ−Ｖ１＿０ロケーション規格において定義されているように、ロケーション提供プロシージャの逆モード（reversed mode）を利用しそして拡張し得、「ＬＰＰｅ」は、３ＧＰＰ  ＴＳ  ３６．３５５において定義されているＬＴＥ測位プロトコル（LTE Positioning Protocol）（ＬＰＰ）への拡張を指す。
【００２９】
[0034]  ＬＴＥ測位プロトコル（ＬＰＰ）に従って、サーバは、ＵＥにロケーション情報要求メッセージ（Request Location Information message）を送信し得、ＵＥは、それを取得し、次いで、ＬＰＰロケーション情報要求メッセージを受信したことに応答して、サーバにＬＰＰロケーション情報提供メッセージ（Provide Location Information message）中で、（たとえば、ＵＥ支援モードのための）要求されたロケーション測定値または（たとえば、ＵＥベースモードのための）ロケーション推定値を送信し得る。ＯＭＡ  ＬＰＰｅ規格では、ＬＰＰプロトコルは、ＬＰＰメッセージにＬＰＰｅメッセージ拡張を追加することによってＬＰＰｅを使用して拡張される。組み合わされたＬＰＰ／ＬＰＰｅプロトコルでは、ロケーション情報要求および提供プロシージャが逆モードで可能（allowed in a reverse mode）であり、ＵＥは、ＯＭＡ−ＴＳ−ＬＰＰｅ−Ｖ１＿０に記載されているように、サーバにＬＰＰ／ＬＰＰｅロケーション情報要求メッセージを送ることができる。この逆モードメッセージは、所望のサービス品質（ＱｏＳ：Quality Of Service）（たとえば、所望のロケーション精度）を示し得る。サーバにおいてこのＬＰＰ／ＬＰＰｅ逆モードロケーション情報要求メッセージを受信した後に、サーバは、特定のロケーション推定方法を開始し（instigate）（たとえば、ＵＥから測定値を収集し）、ＵＥのロケーションを計算し、ＬＰＰ／ＬＰＰｅ逆モードロケーション情報提供メッセージ中でＵＥに、計算されたロケーション結果を返送する。ロケーションプロシージャのこの逆モードによって、（たとえば、ＬＰＰｅ内の）測位プロトコルレベルにおいてモバイル発信型ロケーション要求（ＭＯ−ＬＲ：Mobile-Originated Location Request）が可能になる。この逆モード能力は、ＵＥが、ＬＰＰ／ＬＰＰｅロケーション情報要求中で、ロケーションサーバに特定のネットワークベース測定値を要求することを可能にするようにさらに拡張され得る。たとえば、ＵＥは、ＲＴＴ測定値、ＴＡ測定値、信号強度測定値および／またはＵ−ＴＤＯＡ測定値を要求し得る。これらの測定値は、次いで、（たとえば、ＲＡＮに送られる要求によって）ロケーションサーバによって取得され、ＬＰＰ／ＬＰＰｅ逆モードロケーション情報提供メッセージ中でＵＥに戻され得る。ＵＥはこれらの測定値を要求し得るが、代替設計では、ロケーションサーバが、ＵＥから要求を最初に受信することなく、（たとえば、ＬＰＰ／ＬＰＰｅ逆モードロケーション情報提供メッセージを使用して）ＵＥに測定値を与えることも可能であることに留意されたい。この代替設計は、ＧＮＳＳ衛星およびネットワーク基地局およびアクセスポイントの測定が困難である環境（たとえば、屋内）にＵＥがあり得るとサーバが気づいている場合に使用され、および／またはＵＥが、ＵＥベースのロケーションのみを使用して可能であるロケーション推定値よりも正確なロケーション推定値を取得することを可能にすることをサーバが望むときに使用され得る。
【００３０】
[0035]  図１は、一実装形態による、通信システム１００の図である。通信システム１００は、たとえば、北米、欧州およびアジアにおけるいくつかのワイヤレス事業者の場合のように、同じ地理的エリアにおいてＵＭＴＳとＬＴＥの両方を展開している事業者に属するＬＴＥベースシステムとＵＭＴＳベースシステムとを備え得る。図示のように、通信システム１００は、ノードＢと呼ばれる、少なくとも１つの基地局１１２と、少なくとも１つの無線ネットワークコントローラ（ＲＮＣ）１１４と、少なくとも１つのスタンドアロン・サービングモバイルロケーションセンター（ＳＡＳ：Standalone Serving Mobile Location Center）１１６とを含むＵＭＴＳ無線アクセスネットワーク（ＲＡＮ）１１０と、ユーザ機器（ＵＥ）１０５とを含み得る。ＳＡＳ１１６は、ＲＡＮ１１０と通信するＵＥの測位をサポートし得る。通信システム１００はまた、ｅノードＢ１２２と呼ばれる、ＬＴＥのための少なくとも１つの基地局を含んでいるＬＴＥ  ＲＡＮ１２０を含み得る。通信システム１００はまた、コアネットワーク（ＣＮ：Core Network）１３０を含み得る。コアネットワーク１３０は、ＲＡＮ１１０およびＲＡＮ１２０と通信するＵＥのために様々な通信サービスをサポートし得る。コアネットワーク１３０内で、モバイル交換センター（ＭＳＣ：Mobile Switching Center）１３２は、それのカバレージエリア内のＵＥの回線交換呼（Circuit Switched calls）のためのスイッチングおよびシグナリング機能を実行し得る。サービングＧＰＲＳサポートノード（ＳＧＳＮ：Serving GPRS Support Node）１３４は、ＲＡＮ１１０と通信するＵＥのパケット交換接続およびセッションのためのシグナリング、スイッチングおよびルーティング機能を実行し得る。ゲートウェイＧＰＲＳサポートノード（ＧＧＳＮ：Gateway GPRS Support Node）１３６は、ＵＥのデータ接続性の維持、ＩＰアドレス割振り、ＩＰルーティングなど、様々な機能を実行し得る。
【００３１】
[0036]  ＬＴＥ  ＲＡＮ１２０と通信するＵＥのために、ＣＮ１３０は、ＬＴＥアクセスのために、モビリティ管理、ゲートウェイ選択、認証、ベアラ管理などの様々な制御機能を実行し得るモビリティ管理エンティティ（ＭＭＥ：Mobility Management Entity）１４２を含み得る。発展型ＳＭＬＣ（Ｅ−ＳＭＬＣ）１４４は、ＲＡＮ１２０と通信するＵＥのための測位をサポートし得る。サービングゲートウェイ（Ｓ−ＧＷ：serving gateway）１４６は、たとえば、データルーティングおよびフォワーディング、モビリティアンカリング（mobility anchoring）など、ＵＥのためのデータ転送に関係する様々な機能を実行し得る。パケットデータネットワーク（ＰＤＮ：Packet Data Network）ゲートウェイ１４８は、ＵＥのデータ接続性の維持、ＩＰアドレス割振り、ＩＰルーティングなど、様々な機能を実行し得る。
【００３２】
[0037]  ＵＥ１０５は、通信システム１００と通信して、通信サービスを取得し得る。ＵＥ１０５は、固定でも移動でもよく、たとえば、移動局、アクセス端末、ＳＥＴ、加入者ユニット、または局と呼ばれることもある。ＵＥ１０５は、ほんのいくつかの例を挙げれば、セルラーフォン、携帯情報端末（ＰＤＡ）、ワイヤレスデバイス、ワイヤレスモデム、ワイヤレスルータ、ラップトップコンピュータ、テレメトリデバイス、トラッキングデバイスを備え得る。ＵＥ１０５は、ＲＡＮ１１０（たとえば、ノードＢ１１２）またはＲＡＮ１２０（たとえば、ｅノードＢ１２２）中の１つまたは複数の基地局と通信し得る。ＵＥ１０５はまた、１つまたは複数の衛星１９０からの信号を受信および測定し、衛星１９０の擬似距離測定値（pseudo-range measurements）を取得し得る。ＵＥ１０５はまた、ＲＡＮ１１０および／またはＲＡＮ１２０中の基地局からの信号を測定し、それらの基地局のタイミング測定値、信号強度測定値、および／または信号品質測定値を取得し得る。それらの擬似距離測定値、タイミング測定値、信号強度測定値、および／または信号品質測定値は、ＵＥ１０５のためのロケーション推定値を導出するために使用され得る。ＵＥ１０５が、ロケーション推定値または正確なロケーション推定値を取得するのに十分な測定値を衛星１９０、およびＲＡＮ１１０およびＲＡＮ１２０中の基地局から取得することができない場合、ＵＥ１０５は、ネットワークベース測定値、たとえば、ＲＡＮ１１０中のノードＢ１１２またはＲＮＣ１１４によって取得された測定値、あるいはＲＡＮ１２０中のｅノードＢ１２２によって取得された測定値を与えるように、通信システム１００中のロケーションサーバに要求し得る。ＵＥ１０５および通信システム１００によって使用されるロケーションソリューションに応じて、ロケーションサーバは、（以下で説明するように）ＳＡＳ１１６、Ｅ−ＳＭＬＣ１４４またはＳＬＰ１５０であり得る。図１の通信システム１００はまた、ＲＡＮ１１０、ＲＡＮ１２０およびＣＮ１３０の外部にあるか、またはＣＮ１３０の一部であり得るＳＵＰＬロケーションプラットフォーム（SUPL Location Platform）（ＳＬＰ）１５０を含み得る。ＳＬＰ１５０は、ホームＳＬＰ（Home SLP）（Ｈ−ＳＬＰ）、ディスカバードＳＬＰ（Discovered SLP）（Ｄ−ＳＬＰ）またはエマージェンシＳＬＰ（Emergency SLP）（Ｅ−ＳＬＰ）を備え得、ＳＵＰＬロケーションセンター（ＳＬＣ：SUPL Location Center）および場合によってはＳＵＰＬ測位センター（ＳＰＣ：SUPL Positioning Center）（図１に図示せず）を含み得る。ＳＬＣは、ロケーションサービスのための様々な機能を実行し、ＳＵＰＬの動作を協調させ、ＳＵＰＬ対応端末（ＳＥＴ：SUPL enabled terminal）と対話し得る。ＳＰＣは、ＳＥＴのための測位と、ＳＥＴへの支援データの配信とをサポートし得、また、位置計算に使用されるメッセージおよびプロシージャを担当し得る。ＵＥ１０５が、ＵＭＴＳ  ＲＡＮ１１０またはＬＴＥ  ＲＡＮ１２０または図１に示されていない何らかの他のＲＡＮのいずれかにアクセスしているとき、ＳＬＰ１５０は、ＳＵＰＬユーザプレーンロケーションソリューションを使用してＵＥ１０５の測位をサポートし得る。ＳＬＰ１５０は、ＵＥ���０５がＲＡＮ１１０にアクセスしている場合は、ＧＧＳＮ１３６、ＳＧＳＮ１３４、ＲＮＣ１１４およびノードＢ１１２を介して、或いは、ＵＥ１０５がＲＡＮ１２０にアクセスしている場合は、ＰＤＮゲートウェイ１４８、Ｓ−ＧＷ１４６およびｅノードＢ１２２を介してＴＣＰ／ＩＰを使用してトランスポートされ得る埋込み（embedded）ＬＰＰ／ＬＰＰｅメッセージを用いるＳＵＰＬなどのユーザプレーンプロトコルを介してＵＥ１０５と直接通信し得る。ＳＬＰ１５０は、いくつかの実装形態では、ＲＡＮ１１０、ＲＡＮ１２０中のまたはＣＮ１３０中のエンティティに、たとえば、ＵＥ１０５によるＵＭＴＳアクセスの場合は、ＲＡＮ１１０に位置するＳＡＳ１１６またはノードＢ１１２に、あるいはＵＥ１０５によるＬＴＥアクセスの場合は、ｅノードＢ１２２またはＥ−ＳＭＬＣ１４４に、情報（たとえば、ＵＥ１０５のネットワークベースの測位測定値）を要求することが可能であり得る。ＳＬＰ１５０は、いくつかの実装形態では、ＳＡＳ１１６またはＥ−ＳＭＬＣ１４４またはその両方に接続されるか、またはそれらと組み合わされ得る。
【００３３】
[0038]  一実装形態では、ＵＥ１０５がＵＭＴＳ  ＲＡＮ１１０にアクセスしている場合、ノードＢ１１２は、ＵＥ１０５への信号の送信と、ＵＥ１０５からの対応する信号の受信との間のＲＴＴを測定することが可能であり得る。ＲＴＴは、ノードＢ１１２とＵＥ１０５との間の距離（range）を推定するために利用され得る。しかしながら、上記で説明したように、ＵＥ  Ｒｘ−Ｔｘ時間差として上記で示した、ＵＥ１０５によって生じる処理遅延があり得る。したがって、ノードＢ１１２とＵＥ１０５との間の距離を正確に推定することができるように、Ｒｘ−Ｔｘ時間差がＲＴＴ測定値から減算され得る。いくつかの実装形態では、ノードＢ１１２またはＲＡＮ１１０中の任意の他のエンティティは、ＵＥ  Ｒｘ−Ｔｘ時間差測定を実行するようにＵＥ１０５に要求し、距離計算が実行される、ＲＡＮ１１０内のエンティティにこれらの測定値を報告し得る。この距離計算（distance calculation）は、いくつかの実装形態では、ＢＳ  ＲＴＴおよびＵＥ  Ｒｘ−Ｔｘ時間差を考慮に入れて、ＳＡＳ１１６中で実行され得る。
【００３４】
[0039]  一実装形態によれば、以下でさらに説明するように、ノードＢ１１２は、ＳＬＰ１５０にＲＴＴの測定値を送信し得る。同様に、他のネットワーク要素またはエンティティはまた、位置を推定するために利用され得る、ＳＬＰ１５０への情報を送信し得る。ＳＬＰ１５０は、その後、ＵＥ１０５がそれ自体の位置を推定できるようにするために、ＵＥ１０５にＲＴＴ測定値および／または他のネットワークベース測定値ならびに位置関連情報を送信し得る。たとえば、ＷｉＦｉアクセスポイントからのネットワーク測定値もＵＥ１０５に送信され得る。
【００３５】
[0040]  一実装形態では、ロケーションプロシージャの逆モードは、以下でさらに説明するように、基地局支援ロケーション方法動作をＵＥ１０５で行うことを可能にするように拡張され得る。
【００３６】
[0042]  図２に、一実装形態による、基地局支援測位のための方法２００のメッセージフロー図を示す。図２に、ＵＥ２０５と、ＢＳ／ＲＡＮ２１０と、ロケーションサーバ２１５との間のメッセージフローを示す。請求する主題による実装形態は、動作２２０〜２７５のすべてを含み得、２２０〜２７５よりも少ない、またはそれよりも多い動作を含み得る。また、動作２２０〜２７５の特定の順序は、例示的な順序にすぎない。図２のＵＥ２０５は、図１のＵＥ１０５に対応し得る。ＢＳ／ＲＡＮ２１０は、図１のノードＢ１１２、ＲＮＣ１１４およびｅノードＢ１２２のうちの１つまたは複数に対応し得る。ロケーションサーバ２１５は、図１のＳＡＳ１１６、Ｅ−ＳＭＬＣ１４４またはＳＬＰ１５０に対応し得る。
【００３７】
[0042]  動作２２０において、ＵＥ２０５は、ロケーションサーバ２１５の位置またはロケーション能力（position or location capabilities）を取得するために、ロケーションサーバ２１５に１つまたは複数のＬＰＰ／ＬＰＰｅ逆モード能力要求メッセージ（LPP/LPPe reverse mode Request Capabilities messages）を備えるメッセージを送信する。ロケーション能力（location capabilities）は、たとえば、ロケーションサーバ２１５によってサポートされる位置またはロケーション方法を含み得る。能力要求メッセージの逆モードの使用は、ＯＭＡ  ＬＰＰｅロケーションプロトコル規格において定義されており、本明細書で説明するＢＳ支援能力などの追加のロケーション能力を示すように拡張され得る。ロケーションサーバ２１５が、ＢＳ／ＲＡＮ２１０からＢＳまたは他のＲＡＮ／ネットワークベース測定値を取得することが可能である場合、ロケーションサーバ２１５は、動作２２５において送信されたＬＰＰ／ＬＰＰｅ逆モード能力提供メッセージ（LPP/LPPe reverse mode Provide Capabilities message）中でＵＥ２０５にこの能力を示し得る。ロケーションサーバ２１５はまた、たとえば、ほんの２つの可能な例を挙げれば、周期的報告、または測定値パラメータの変化に基づくイベントトリガ型報告など、サポートされるトリガ型測定値配信方法を一緒に含めて、どの測定値がサポートされ、与えられ得るかに関する情報または詳細を送信し得る。サポートされるものとして示され得る測定値の例は、ＵＭＴＳおよび／またはＬＴＥのためのＲＴＴ、ＴＡ、信号強度、ＡＯＡおよびＵ−ＴＤＯＡ測定値を与える能力を含む。ＵＥ２０５は、さらにまたは代わりに、たとえば、ＵＥ２０５がサポートするネットワークベースのＲＡＮ測定値のリストなど、動作２２０において送信されるメッセージ中にそれの測位能力を含め得る。これらの測位能力は、ＬＰＰ／ＬＰＰｅ能力提供メッセージ中に含まれ得る。
【００３８】
[0043]  ロケーションサーバ２１５が、ＢＳ支援ロケーション測定値をサポートする場合、動作２３０において、ＵＥ２０５は、たとえば、所望の報告情報および他のサービス品質パラメータ（quality of service parameters）（たとえば、ＢＳ／ＲＡＮ測定値の所望の精度）とともに、ＢＳ／ＲＡＮ測定値を要求する、ロケーションサーバ２１５へのロケーション情報要求メッセージを送信する。そのような所望の報告情報は、たとえば、ほんのいくつかの可能な例を挙げれば、単一の測定値についての要求、周期的測定値報告についての要求、またはイベントトリガ型測定値報告についての要求を含み得る。イベントトリガ型測定値報告についての要求は、たとえば、ロケーションサーバ２１５がＵＥ２０５に測定値をいつ送信すべきかを示すしきい値パラメータを含み得る。たとえば、ＢＳ／ＲＡＮ測定値が前に配信されたＢＳ／ＲＡＮ測定値と比較して、あるしきい値分量または数量だけ変化した場合、ＵＥ２０５は、新しいＢＳ／ＲＡＮ測定値を配信するように要求し得る。動作２３０において送信されたロケーション情報要求メッセージは、ＯＭＡ  ＬＰＰ／ＬＰＰｅ逆モードロケーション情報要求メッセージを備え得る。
【００３９】
[0044]  代替設計では、動作２３０が行われないことがあり、ロケーションサーバ２１５は、たとえば、動作２２０においてＵＥ２０５によってロケーションサーバ２１５に与えられた測位能力に基づいて、ＵＥ２０５のためにＲＡＮ２１０からネットワークベース測定値を取得することを決定し得る。
【００４０】
[0045]  ＵＥ２０５が、ＵＥ測定値とともにＢＳ／ＲＡＮ測定値を使用すること（たとえば、ＢＳ  ＲＴＴ測定値をＵＥ  Ｒｘ−Ｔｘ時間差測定値と組み合わせることなど）を望む場合、ＵＥ２０５は、動作２３５において、それの測定ユニットをＵＥベースの測定のために準備し、ＵＥベースの測定を実行し始め得る。ＢＳ測定値とＵＥ測定値とが組み合わされるべきである場合、両方の測定がほぼ同時に行われるか、または、たとえば、約１０〜１００ｍｓの時間範囲内で行われることが望ましいことがある。したがって、ＵＥ２０５は、ＧＮＳＳ衛星からの信号、ならびに／またはＢＳ／ＲＡＮ２１０に関連するか、またはＢＳ／ＲＡＮ２１０の一部の、基地局およびアクセスポイントを含む基地局およびアクセスポイントからの信号を測定し始め得る。ＵＥ２０５は、測定結果が取得された１つまたは複数の時間を示す１つまたは複数のタイムスタンプ（たとえば、ＵＭＴＳまたはＬＴＥまたはＧＮＳＳ時間におけるシステムフレーム番号）とともにＵＥベースの測定結果を一時的に記憶し得る。
【００４１】
[0046]  動作２４０において、ロケーションサーバ２１５は、要求されたＢＳ／ＲＡＮ測定値情報を取得するために、ＵＥ２０５に関連するＲＡＮに連絡する（contact）。ロケーションサーバ２１５がＳＵＰＬ  ＳＬＰ（たとえば、図１のＳＬＰ１５０）である場合、ロケーションサーバ２１５は、動作２４０において代わりに、ほんのいくつかの例を挙げれば、（ｉ）ＵＥ２０５が（たとえば、図１のｅノードＢ１２２に）ＬＴＥアクセスできる場合は図１のＥ−ＳＭＬＣ１４４、または（ｉｉ）ＵＥ２０５がＵＭＴＳアクセスできる場合は図１のＳＡＳ１１６、または（ｉｉｉ）ＵＥ２０５がＧＳＭアクセスできる場合は図１に図示していないサービングモバイル・ロケーションセンター（ＳＭＬＣ：Serving Mobile Location Center）などの、ＲＡＮ２１０内、またはコアネットワーク（ＣＮ）内の制御プレーン（ＣＰ）ロケーションサーバに連絡する。この場合（図２に図示せず）、ＣＰロケーションサーバは、ロケーションサーバ２１５のためにＲＡＮから、要求されたＢＳ／ＲＡＮ測定値情報を取得し得、動作２５０において測定値を戻し得る。動作２４０において送信された要求メッセージは、ＢＳ／ＲＡＮ測定値を要求したＵＥ２０５のアイデンティティ、ならびに、たとえば、報告間隔、報告の量、しきい値変化パラメータなど、所望の報告基準および要求されたＢＳ／ＲＡＮ測定値の指示、を含み得る。
【００４２】
[0047]  動作２４５において、ＲＡＮ２１０（あるいはＲＡＮ２１０内の任意のロケーションサーバまたはＲＡＮ２１０に関連するＣＮ中の任意のロケーションサーバ）は、たとえば、ＢＳ  ＲＴＴ測定値について上記で説明したように、ＣＰプロシージャを扇動して（instigate）、特定のＵＥ２０５のためのＢＳ／ＲＡＮ２１０における要求された測定値を取得する。ＵＥ２０５の観点からすると、そのようなＣＰプロシージャは、一般に、任意の通常のネットワーク動作の一部であり得、どんな特別なＵＥ２０５のサポートも必要としないことがある。ＢＳ／ＲＡＮ２１０は、ＢＳ／ＲＡＮ２１０中のいくつかのエンティティ（たとえば、いくつかの基地局またはアクセスポイント）において、たとえば、ＲＴＴ、ＡＯＡ、受信信号電力、Ｕ−ＴＤＯＡまたはロケーションサーバ２１５によって要求されたものおよびＢＳ／ＲＡＮ２１０によってサポートされるものなど、所望の測定を実行し得る。そのような測定はまた、たとえば、Ｕ−ＴＤＯＡ測位方法において使用される、ＢＳ／ＲＡＮ２１０中の、またはＢＳ／ＲＡＮ２１０に関連する専用のロケーション測定ユニット（ＬＭＵ）によって実行され得る。
【００４３】
[0048]  動作２５０において、ＢＳ／ＲＡＮ２１０（または適用可能な場合、ＲＡＮまたはＣＮ内の任意のロケーションサーバ）は、ＢＳ測定値提供メッセージ（Provide BS Measurements message）中で、取得された測定値をロケーションサーバ２１５に報告する。たとえば、取得された測定値は、測定値がいつ取得されたかを示すタイムスタンプとともに、たとえば、標準偏差など、任意の測定値の取得された品質情報と一緒に送信され得る。
【００４４】
[0049]  動作２４０および動作２５０を介してロケーションサーバ２１５とＢＳ／ＲＡＮ２１０との間で送信されるメッセージは、特定のネットワーク事業者とロケーションサーバプロバイダとの間で合意したプロプライエタリなメッセージ（proprietary messages）を備え得、または、たとえば、既存の規格または将来の規格における標準化メッセージであり得る。ＬＴＥ  ＣＰ展開実装形態では、ロケーションサーバ２１５は、図１の発展型サービングモバイル・ローケーションセンター（Ｅ−ＳＭＬＣ：Evolved Serving Mobile Location Center）１４４などのＥ−ＳＭＬＣを備え得、動作２４０および動作２５０において送信されるメッセージは、３ＧＰＰ  ＴＳ  ３６．４５５において定義されている、ＬＰＰアネックス（LPP Annex）（ＬＰＰａ）メッセージの既存のバージョンまたは拡張バージョンを備え得る。
【００４５】
[0050]  代替実施形態では、ロケーションサーバ２１５は、図１のＳＬＰ１５０などのＳＬＰを備え得、上記で説明したように、動作２４０において図１のＥ−ＳＭＬＣ１４４などのＥ−ＳＭＬＣに連絡し得る。連絡されたＥ−ＳＭＬＣは、動作２５０において、ロケーションサーバ２１５に転送し戻すために、ＢＳ／ＲＡＮ２１０から、たとえば、ＲＴＴ、ＡＯＡ、またはＴＡなど、ＵＥ２０５のネットワークベース測定値を取得するためにＢＳ／ＲＡＮ２１０とＬＰＰａメッセージを交換し得る。
【００４６】
[0051]  動作２５０において、ロケーションサーバ２１５がＢＳ／ＲＡＮ測定値を受信した後、ロケーションサーバ２１５は、動作２５５において、ＵＥ２０５にロケーション情報提供メッセージを送信する。ロケーション情報提供メッセージは、動作２３０においてＵＥ２０５によって要求された測定値、または、たとえば、要求された測定値のサブセットを含み得る。一実装形態では、すべてのＵＥ要求測定値を与えることができない場合、ロケーション情報提供はエラー指示をも含み得る。一方、動作２３０が行われなかった場合、測定値は、ＬＰＰ／ＬＰＰｅ能力提供メッセージ中に、ロケーションサーバ２１５によって決定された測定値および／または動作２２０においてＵＥ２０５によってサポートされるものとして示された測定値を備え得る。動作２５５において送信されるロケーション情報提供メッセージは、ＯＭＡ  ＬＰＰ／ＬＰＰｅ逆モードロケーション情報提供メッセージを備え得る。
【００４７】
[0052]  動作２５５の一部として、あるいは動作２５５の前にまたは後に（図２に図示せず）、ロケーションサーバ２１５は、動作２５５においてＵＥ２０５に送信されるＢＳ／ＲＡＮ測定値に関係する支援データを含んでいる支援データ提供メッセージ（Provide Assistance Data message）（たとえば、ＬＰＰまたはＬＰＰ／ＬＰＰｅ支援データ提供メッセージ）をＵＥ２０５に送信する。１つの設計では、ＵＥ２０５は、この支援データを要求するためにロケーションサーバ２１５に支援データ要求メッセージ（Request Assistance Data message）（たとえば、ＬＰＰまたはＬＰＰ／ＬＰＰｅ支援データ要求メッセージ）を前に送っていることがある。支援データは、ＵＥ２０５が、ＵＥ２０５のロケーションを推定するために動作２５５において受信したＢＳ／ＲＡＮ測定値を利用することを可能にするために、ＢＳ／ＲＡＮ２１０に関する情報を備え得る。含まれ得るＢＳ／ＲＡＮ２１０に関する情報の例は、たとえば、いくつかの基地局、アクセスポイントおよびＬＭＵなど、ＢＳ／ＲＡＮ２１０中のいくつかのエンティティのロケーション座標、アンテナ特性および内部タイミングを備える。情報が与えられる、ＢＳ／ＲＡＮ２１０中の特定のエンティティは、動作２４５においてＢＳ／ＲＡＮ測定値を取得したエンティティと同じエンティティであり得る。１つの設計では、ＵＥ２０５は、もっと以前に、たとえば、図２のメッセージフローの前の呼出し中に支援データを取得し、後で使用するためにその支援データを記憶し得る。
【００４８】
[0053]  動作２６０において、ＵＥ２０５は、上記で説明したように、受信したＢＳ／ＲＡＮ測定値と受信した支援データとを利用して、ＵＥロケーションを推定するか、または計算し得る。動作２３５において、ＧＮＳＳ衛星ならびに／またはＲＡＮ基地局およびアクセスポイントの追加のＵＥベース測定値がＵＥ２０５によって取得された場合、ＵＥ２０５は、これらの測定値と動作２５５において与えられたＢＳ／ＲＡＮ測定値との両方からそれのロケーションを取得し得、測定値がほぼ同時に取得されたことを検証し得る。たとえば、ＢＳ／ＲＡＮ測定値は、（１つまたは複数の）サービング基地局において生成されたＲＴＴ測定値を含み得、ＵＥ２０５は、そのＲＴＴ測定値を動作２３５において取得したそれの内部ＵＥ  Ｒｘ−Ｔｘ時間差測定値と組み合わせ得る。
【００４９】
[0054]  ＵＥ２０５が、動作２３５においてＵＥ  Ｒｘ−Ｔｘ時間差を測定し始めた場合、ＵＥ２０５は、たとえば、システムフレーム番号（ＳＦＮ）または測定値中に含まれる任意の他のタイムスタンプ情報に少なくとも部分的に基づいて、受信したＲＴＴ測定値に時間的にできるだけ近い測定値をルックアップし得る。
【００５０】
[0055]  ＵＥ２０５および／またはロケーションサーバ２１５が、それぞれ、動作２３０または２４０において周期的またはイベントトリガ型測定値を要求した場合、ＢＳ／ＲＡＮ２１０は、動作２６５において要求された測定値を与え続け、その測定値は、たとえば、所望の報告間隔の満了、あるいはある量について測定値が前の測定値と比較して少なくともしきい値またはしきい値量だけ変化するなどのイベントのトリガリングなどの報告基準が満たされたときはいつでも、動作２７０においてＵＥ２０５に送信され得る。動作２６５〜動作２７５は、所望の数の報告に達するまで、または方法２００がＵＥ２０５、ロケーションサーバ２１５、またはＢＳ／ＲＡＮ２１０によってキャンセルされるまで繰り返される。
【００５１】
[0056]  上記で説明した方法は、「拡張セルＩＤ（Enhanced Cell-ID）」または、例えばＵ−ＴＤＯＡなどの他のロケーション技術を使用したＵＥベースのロケーション判断を可能にし得、ＵＥベースのロケーション判断は、既存のロケーションプロトコル規格およびアーキテクチャに対する影響を最小限に抑えながら、場合によっては、ＧＮＳＳ衛星およびネットワーク基地局およびアクセスポイントのＵＥ測定値と組み合わせて、ＵＥにおける基地局または他のネットワークベース測定値を必要とし得る。ロケーションプロシージャのＯＭＡ  ＬＰＰｅ逆モードは、ネットワークベース測定値を使用したＵＥベースのロケーションを可能にするように拡張され得る。
【００５２】
[0057]  図３は、一実装形態による、ロケーションサーバがＵＥにネットワークベース測定値を与えるための方法３００の流れ図である。動作３０５において、ロケーションサーバは、ユーザ機器（ＵＥ）から第２のメッセージを受信する。第２のメッセージは、１つまたは複数の要求されたネットワークベース測定値を備え得る。動作３０５は、随意であり、いくつかの設計では行われないことがある。動作３１０において、動作３０５が行われた場合、ＵＥをサービスする無線アクセスネットワークから１つまたは複数の要求されたネットワークベース測定値のうちの少なくとも１つを獲得する。動作３０５が行われなかった場合、ロケーションサーバは、ＵＥをサービスする無線アクセスネットワークから１つまたは複数のネットワークベース測定値を獲得する。このネットワークベース測定値は、ロケーションサーバによって決定され得、ＵＥからのロケーションサーバによって以前に受信された能力提供メッセージ中でＵＥによってサポートされるものとして示された測定値であり得る。動作３１５において、１つまたは複数の獲得されたネットワークベース測定値のうちの少なくとも１つを備える第１のメッセージをＵＥに送信し得る。
【００５３】
[0058]  図４は、一実装形態による、ＵＥがネットワークベース測定値を要求し、受信するための方法４００の流れ図である。動作４０５において、ユーザ機器（ＵＥ）は、第２のメッセージを送信する。第２のメッセージは、１つまたは複数の要求されたネットワークベース測定値を備え得る。動作４０５は、随意であり、いくつかの設計では行われないことがある。動作４１０において、１つまたは複数のネットワークベース測定値のうちの少なくとも１つを含み得る第１のメッセージを受信する。動作４０５が行われた場合、動作４１０において受信した１つまたは複数のネットワークベース測定値は、動作４０５においてＵＥによって要求された測定値を備え得る。動作４０５が行われなかった場合、動作４１０において受信した１つまたは複数のネットワークベース測定値は、ＵＥによってサポートされる測定値を備え得る。たとえば、第２のメッセージはロケーションサーバに送ら得、第１のメッセージはロケーションサーバから受信され得る。動作４１５において、ＵＥは、動作４１０において受信したネットワークベース測定値を使用してそれのロケーションを判断し得る。
【００５４】
[0059]  図５は、特定の実装形態による、たとえば、図１のＵＥ１０５または図２のＵＥ２０５であり得るＵＥ５００の概略図である。ＵＥ５００は、ＲＦキャリア信号をボイスまたはデータなどのベースバンド情報とともにＲＦキャリア上に変調し、そのようなベースバンド情報を取得するために変調されたＲＦキャリアを復調するためのトランシーバ５０６を含み得る。アンテナ５１０は、ワイヤレス通信リンクを介して変調されたＲＦキャリアを送信し、ワイヤレス通信リンクを介して変調されたＲＦキャリアを受信し得る。
【００５５】
[0060]  ベースバンドプロセッサ５０８は、ワイヤレス通信リンクを介して送信するためにＣＰＵ５０２からトランシーバ５０６にベースバンド情報を与え得る。ここで、ＣＰＵ５０２は、ユーザインターフェース５１６内の入力デバイスからそのようなベースバンド情報を取得し得る。ベースバンドプロセッサ５０８はまた、ユーザインターフェース５１６内の出力デバイスを通して送信するためにトランシーバ５０６からＣＰＵ５０２にベースバンド情報を与えるように適合され得る。
【００５６】
[0061]  ＳＰＳ受信機（ＳＰＳ  Ｒｘ）５１２は、ＳＰＳアンテナ５１４を介して送信機から送信を受信および／または復調し、復調された情報を相関器５１８に与え得る。相関器５１８は、受信機５１２によって与えられた情報から相関関数を導出し得る。相関器５１８はまた、トランシーバ５０６によって与えられたパイロット信号に関係する情報からパイロット関連相関関数（pilot-related correlation functions）を導出し得る。この情報は、加入者局によってワイヤレス通信サービスを獲得するために使用され得る。
【００５７】
[0062]  チャネルデコーダ５２０は、ベースバンドプロセッサ５０８から受信したチャネルシンボルを基礎をなすソースビット（underlying source bits）に復号し得る。チャネルシンボルが畳み込み符号化されたシンボル（convolutionally encoded symbols）を備える一例では、チャネルデコーダ５２０はビタビデコーダを備え得る。チャネルシンボルが直列連結または並列連結の畳み込みコード（serial or parallel concatenations of convolutional code）を備える第２の例では、チャネルデコーダ５２０はターボデコーダを備え得る。
【００５８】
[0063]  メモリ５０４は、説明または示唆したプロセス、例、実装形態、またはそれらの例、のうちの１つまたは複数を実行するように実行可能な機械可読命令を記憶し得る。ＣＰＵ５０２は、そのような機械可読命令にアクセスし、および／またはそれを実行し得る。機械可読命令の実行を通して、ＣＰＵ５０２は、相関器５１８に、相関器５１８によって与えられたＳＰＳ相関関数を分析すること、それらのピークから測定値を導出すること、および／またはロケーションの推定値が十分に正確であるかどうかを判断することを行うように指示し得る。ただし、これらは、特定の態様ではＣＰＵによって実行され得るタスクの例にすぎず、請求する主題はこれらの観点について限定されない。
【００５９】
[0064]  特定の例では、加入者局におけるＣＰＵ５０２は、上記に示したように、ＳＶから受信した信号に少なくとも部分的に基づいて、加入者局のロケーションを推定し得る。ＣＰＵ５０２はまた、特定の例に従って上記に示したように、第１の受信信号（first received signals）中で検出されたコード位相に少なくとも部分的に基づいて、第２の受信信号（a second received signal）を獲得するためのコード探索範囲（code search range）を判断するように適合され得る。
【００６０】
[0065]  図６は、特定の一実装形態による、たとえば、図１のＳＡＳ１１６、Ｅ−ＳＭＬＣ１４４またはＳＬＰ１５０あるいは図２のロケーションサーバ２１５を備え得るロケーションサーバ６００の概略図である。図示のように、ロケーションサーバ６００は、プロセッサ６０５と、メモリ６１０と、通信デバイス６１５とを含み得る。メモリ６１０は、プロセッサ６０５によって実行可能であり得るプログラムコードなどの命令を記憶し得る。通信デバイス６１５は、ワイヤレス送信を通信および／または受信するためのアンテナを含み得る。通信デバイス６１５はまた、基地局またはＲＡＮへのハードワイヤード接続を介して通信を受信するモデムまたは他のデバイスを含み得る。
【００６１】
[0066]  本明細書全体にわたる「一例」、「１つの特徴」、「例」、または「１つの特徴」という言及は、特徴および／または例に関して説明する特定の特徴、構造、または特性が、請求する主題の少なくとも１つの特徴および／または例の中に含まれることを意味する。したがって、本明細書全体にわたる様々な箇所における「一例では」、「例」、「１つの特徴では」または「特徴」という句の出現は、必ずしもすべてが同じ特徴および／または例を指すとは限らない。さらに、それらの特定の特徴、構造、または特性を組み合わせて１つまたは複数の例および／または特徴にすることがある。
【００６２】
[0067]  本明細書で説明した方法は、特定の特徴または例に従って適用例に応じて様々な手段によって実装され得る。たとえば、そのような方法は、ハードウェア、ファームウェア、ソフトウェア、個別／固定論理回路、またはそれらの任意の組合せなどで実装され得る。ハードウェアまたは論理回路実装では、たとえば、処理ユニットは、ほんの数例を挙げると、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他のデバイスもしくはユニット、あるいはそれらの組合せ、の内部に実装され得る。
【００６３】
[0068]  ファームウェアまたはソフトウェア実装の場合、本方法は、本明細書で説明した機能を実行する命令を有するモジュール（たとえば、プロシージャ、関数など）を用いて実装され得る。命令を有形に実施するいかなる機械可読媒体も、本明細書で説明した方法の実装において使用され得る。たとえば、ソフトウェアコードは、メモリに記憶され、プロセッサによって実行され得る。メモリは、プロセッサの内部またはプロセッサの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されない。少なくともいくつかの実装形態では、本明細書で説明した記憶媒体の１つまたは複数の部分が、記憶媒体の特定の状態によって表されるデータまたは情報を表す信号を記憶し得る。たとえば、データまたは情報を表す電子信号は、データまたは情報をバイナリ情報（たとえば、１および０）として表すために、記憶媒体のそのような部分の状態に影響を及ぼすか、またはそれを変更することによって、記憶媒体（たとえば、メモリ）の一部に「記憶」され得る。したがって、特定の一実装形態では、データまたは情報を表す信号を記憶するために、記憶媒体の一部の状態をそのように変更することは、記憶媒体を異なる状態または物に変換することを構成する。
【００６４】
[0069]  示したように、１つまたは複数の例示的な実装形態では、説明した機能は、ハードウェア、ソフトウェア、ファームウェア、個別／固定論理回路、それらの何らかの組合せなどで実装され得る。ソフトウェアで実装される場合、その機能は、１つまたは複数の命令またはコードとして、物理的なコンピュータ可読媒体に記憶され得る。コンピュータ可読媒体は、物理的なコンピュータ記憶媒体を含む。記憶媒体は、コンピュータによってアクセスされ得る任意の利用可能な物理媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータまたはコンピュータのプロセッサによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。
【００６５】
[0070]  上記で説明したように、モバイルデバイスは、１つまたは複数のワイヤレス通信技法を使用して、様々な通信ネットワークを通じた情報のワイヤレス送信または受信を介して、１つまたは複数の他のデバイスと通信することが可能であり得る。ここで、たとえば、ワイヤレス通信技法は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などを使用して実装され得る。「ネットワーク」および「システム」という用語は、本明細書では互換的に使用され得る。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ロング・ターム・エボリューション（Long Term Evolution）（ＬＴＥ）ネットワーク、ＷｉＭＡＸ（ＩＥＥＥ８０２．１６）ネットワークなどであり得る。ＣＤＭＡネットワークは、ほんのいくつかの無線技術を挙げれば、ｃｄｍａ２０００、広帯域ＣＤＭＡ（Ｗ−ＣＤＭＡ）、時分割同期符号分割多元接続（ＴＤ−ＳＣＤＭＡ：Time Division Synchronous Code Division Multiple Access）などの１つまたは複数の無線アクセス技術（ＲＡＴ）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、移動通信のためのグローバルシステム（Global System for Mobile Communications）（ＧＳＭ）、デジタル・アドバンスト・モバイルフォン・システム（Digital Advanced Mobile Phone System）（Ｄ−ＡＭＰＳ）、または何らかの他のＲＡＴを実装し得る。ＧＳＭおよびＷ−ＣＤＭＡは、「第３世代パートナーシップ・プロジェクト（3rdGeneration Partnership Project）」（３ＧＰＰ）という名称の組織からの文書に記載されている。Ｃｄｍａ２０００は、「第３世代パートナーシップ・プロジェクト２（3rd Generation Partnership Project 2）」（３ＧＰＰ２）という名称の組織からの文書に記載されている。３ＧＰＰおよび３ＧＰＰ２の文書は公に入手可能である。ＷＬＡＮは、ＩＥＥＥ８０２．１１ｘネットワークを含み得、ＷＰＡＮは、たとえば、Ｂｌｕｅｔｏｏｔｈ（登録商標）ネットワーク、ＩＥＥＥ８０２．１５ｘネットワーク、または他の何らかのタイプのネットワークを含み得る。本技法はまた、ＷＷＡＮ、ＷＬＡＮ、またはＷＰＡＮの任意の組合せに関連して実装され得る。ワイヤレス通信ネットワークは、たとえば、ロング・ターム・エボリューション（Long Term Evolution）（ＬＴＥ）、アドバンストＬＴＥ（Advanced LTE）、ＷｉＭＡＸ、ウルトラ・モバイル・ブロードバンド（Ultra Mobile Broadband）（ＵＭＢ）など、いわゆる次世代技術（たとえば、「４Ｇ」）を含み得る。
【００６６】
[0071]  特定の一実装形態では、モバイルデバイスは、たとえば、それのロケーション、方向、速度、加速度などを推定するために、モバイルデバイスとの通信を容易にするか、またはそれをサポートする１つまたは複数のフェムトセルと通信することが可能であり得る。本明細書で使用する際、「フェムトセル」は、たとえば、デジタル加入者回路（ＤＳＬ）またはケーブルなど、たとえばブロードバンドを介して、サービスプロバイダのネットワークに接続することが可能であり得る１つまたは複数のより小型のセルラー基地局を指すことがある。必ずしもそうとは限らないが、一般に、フェムトセルは、多くの可能なものの中でほんのいくつかの例を挙げれば、たとえばユニバーサル・モバイル通信システム（Universal Mobile Telecommunications System）（ＵＴＭＳ）、ロング・ターム・エボリューション（Long Term Evolution）（ＬＴＥ）、発展型データ最適化または発展型データオンリ（Evolution-Data Optimized or Evolution-Data only）（ＥＶ−ＤＯ）、ＧＳＭ、マイクロ波アクセスのための世界的相互運用性（Worldwide Interoperability for Microwave Access）（ＷｉＭＡＸ）、符号分割多元接続（ＣＤＭＡ）−２０００、または時分割同期符号分割多元接続（ＴＤ−ＳＣＤＭＡ）など、様々なタイプの通信技法を利用するか、またはさもなければそれらに適合し（compatible with）得る。いくつかの実装形態では、フェムトセルは、たとえば、一体型ＷｉＦｉを備え得る。しかしながら、フェムトセルに関するそのような詳細は、単なる例にすぎず、請求する主題はそのように限定されない。
【００６７】
[0072]  また、コンピュータ可読コードまたは命令は、（たとえば、電気デジタル信号を介して）送信機から受信機に物理的伝送媒体上で信号を介して送信され得る。たとえば、ソフトウェアは、同軸ケーブル、光ファイバケーブル、ツイストペア、デジタル加入者回線（ＤＳＬ）、あるいは赤外線、無線、またはマイクロ波などのワイヤレス技術の物理的構成要素を使用してウェブサイト、サーバ、または他のリモートソースから送信され得る。上記の組合せも物理的伝送媒体の範囲内に含まれ得る。そのようなコンピュータ命令またはデータは、異なる時間に（たとえば、第１および第２の時間に）部分（たとえば、第１および第２の部分）で送信され（transmitted in portions）得る。この詳細な説明のいくつかの部分は、特定の装置または専用コンピューティングデバイスまたはプラットフォームのメモリ内に記憶された２値デジタル信号上の演算のアルゴリズムまたは記号表現に関して提示される。この特定の明細書のコンテキストでは、特定の装置などの用語は、プログラムソフトウェアからの命令に従って特定の関数を実行するようにプログラムされた後の汎用コンピュータを含む。アルゴリズムの説明または記号表現は、信号処理または関連技術の当業者達が、彼等の仕事の本質を他の当業者達に伝達するために使用する技法の例である。アルゴリズムは、本明細書では、また一般に、所望の結果をもたらす自己矛盾のない一連の演算または同様の信号処理であると考えられる。このコンテキストでは、演算または処理は物理量の物理操作に関係する。必ずしもそうとは限らないが、一般に、そのような量は、記憶、転送、組合せ、比較、または他の操作が可能な、電気信号または磁気信号の形態をとり得る。
【００６８】
[0073]  主に一般的な用法という理由で、そのような信号をビット、情報、値、要素、シンボル、文字、変数、項、数、数字などと呼ぶことが時々便利であることがわかっている。ただし、これらおよび同様の用語はすべて、適切な物理量に関連すべきものであり、便利なラベルにすぎないことを理解されたい。別段に明記されていない限り、上記の説明から明らかなように、本明細書全体にわたって、「処理する」、「算出する」、「計算する」、「判断する」、「確認する」、「識別する」、「関連付ける」、「測定する」、「実行する」などの用語を利用する説明は、専用コンピュータあるいは同様の専用電子コンピューティング装置またはデバイスなど、特定の装置の動作またはプロセスを指すことを諒解されたい。したがって、本明細書のコンテキストでは、専用コンピュータあるいは同様の専用電子コンピューティングデバイスまたは装置は、専用コンピュータあるいは同様の専用電子コンピューティングデバイスまたは装置のメモリ、レジスタ、または他の情報ストレージデバイス、送信デバイス、あるいはディスプレイデバイス内の電子的、電気的、または磁気的な物理量として一般に表される信号を操作または変換することが可能である。
【００６９】
[0074]  本明細書で使用する「および」および「または」という用語は、そのような用語が使用されるコンテキストに少なくとも部分的に依存することも予想される様々な意味を含み得る。一般に、Ａ、ＢまたはＣなどのリストを関連付けるために使用された場合の「または」は、包含的な意味で使用された場合はＡ、Ｂ、およびＣを意味し、ならびに排他的な意味で使用された場合はＡ、ＢまたはＣを意味するものとする。さらに、本明細書で使用する「１つまたは複数」という用語は、単数形の任意の特徴、構造、または特性について説明するために使用され得るか、または複数の特徴、構造または特性の何らかの組合せについて説明するために使用され得る。しかし、これは例示的な例にすぎないこと、および請求する主題がこの例に限定されないことに留意されたい。
【００７０】
[0075]  本明細書では様々な方法またはシステムを使用していくつかの例示的な技法を説明し、示したが、請求する主題から逸脱することなく、様々な他の変形を行い得、均等物を代用し得ることが、当業者には理解されよう。さらに、本明細書で説明した主要な概念から逸脱することなく、請求する主題の教示に特定の状況を適応させるために多くの変更が行われ得る。したがって、請求する主題は、開示された特定の例に限定されず、そのような請求する主題は、添付の特許請求の範囲内に入るすべての実装形態、およびその均等物をも含むものとする。
なお、本願の出願当初の請求項と同一の記載を以下に付記する。
［Ｃ１］  ロケーションサービスを実行するための方法であって、
ロケーションサーバにおいて、ユーザ機器（ＵＥ）をサービスする無線アクセスネットワークから１つまたは複数のネットワークベース測定値を獲得することと、
前記１つまたは複数のネットワークベース測定値のうちの少なくとも１つを備える、前記ロケーションサーバから前記ＵＥへの第１のメッセージを送信することと
を備え、
前記ＵＥのロケーションが、前記１つまたは複数のネットワークベース測定値に少なくとも部分的に基づいて前記ＵＥによって推定されることが可能である、方法。
［Ｃ２］  前記ロケーションサーバにおいて、前記１つまたは複数のネットワークベース測定値を要求する、前記ＵＥからの第２のメッセージを受信することをさらに備える、Ｃ１に記載の方法。
［Ｃ３］  前記第２のメッセージが、オープン・モバイル・アライアンス（ＯＭＡ）ロング・ターム・エボリューション測位プロトコル拡張（ＬＰＰｅ）ロケーション情報要求メッセージを備える、Ｃ２に記載の方法。
［Ｃ４］  前記第１のメッセージが、オープン・モバイル・アライアンス（ＯＭＡ）ロング・ターム・エボリューション測位プロトコル拡張（ＬＰＰｅ）ロケーション情報提供メッセージを備える、Ｃ１に記載の方法。
［Ｃ５］  前記１つまたは複数のネットワークベース測定値が往復時間測定値を備える、Ｃ１に記載の方法。
［Ｃ６］  前記１つまたは複数のネットワークベース測定値が送信機（Ｔｘ）−受信機（Ｒｘ）時間差測定値を備える、Ｃ１に記載の方法。
［Ｃ７］  前記１つまたは複数のネットワークベース測定値がアップリンク到着時間（差）測定値を備える、Ｃ１に記載の方法。
［Ｃ８］  前記１つまたは複数のネットワークベース測定値が到来角（ＡＯＡ）測定値を備える、
Ｃ１に記載の方法。
［Ｃ９］  前記第２のメッセージが、周期的またはイベントトリガ型ネットワーク測定値配信についての要求を備える、Ｃ２に記載の方法。
［Ｃ１０］  周期的に、または前記１つまたは複数のネットワークベース測定値のうちの前記少なくとも１つが、１つまたは複数の前に報告されたネットワークベース測定値に対して少なくともしきい値量だけ変化することに少なくとも部分的に応答して、前記第１のメッセージを送信することをさらに備える、Ｃ２に記載の方法。
［Ｃ１１］  前記１つまたは複数のネットワークベース測定値が、基地局からの１つまたは複数の測定値を備える、Ｃ１に記載の方法。
［Ｃ１２］  前記１つまたは複数のネットワークベース測定値が、ロケーション測定ユニット（ＬＭＵ）からの１つまたは複数の測定値を備える、Ｃ１に記載の方法。
［Ｃ１３］  前記１つまたは複数のネットワークベース測定値が、ＷｉＦｉアクセスポイントからの１つまたは複数の測定値を備える、Ｃ１に記載の方法。
［Ｃ１４］  前記１つまたは複数のネットワークベース測定値が、無線アクセスネットワークからの１つまたは複数の測定値を備える、Ｃ１に記載の方法。
［Ｃ１５］  前記ＵＥから前記第２のメッセージを受信するより前に前記１つまたは複数のネットワークベース測定値を与えるために、前記ロケーションサーバの能力を前記ＵＥに通知することをさらに備える、Ｃ２に記載の方法。
［Ｃ１６］  前記ＵＥの能力を前記ロケーションサーバに通知することをさらに備え、前記１つまたは複数のネットワークベース測定値が前記能力中で示される、Ｃ１に記載の方法。
［Ｃ１７］  オープン・モバイル・アライアンス（ＯＭＡ）ロング・ターム・エボリューション測位プロトコル拡張（ＬＰＰｅ）能力提供メッセージを介して前記ＵＥに前記ロケーションサーバの前記能力を送信することをさらに備える、Ｃ１５に記載の方法。
［Ｃ１８］  前記１つまたは複数のネットワークベース測定値が１つまたは複数のユニバーサル・モバイル通信システム（ＵＭＴＳ）ベース測定値を備える、Ｃ１に記載の方法。
［Ｃ１９］  前記１つまたは複数のネットワークベース測定値が、１つまたは複数のロング・ターム・エボリューション（ＬＴＥ）ベース測定値を備える、Ｃ１に記載の方法。
［Ｃ２０］  前記ロケーションサーバが、スタンドアロン・サービングモバイルロケーションセンター（ＳＡＳ）、発展型サービングモバイルロケーションセンター（Ｅ−ＳＭＬＣ）、またはセキュアユーザプレーンロケーション（ＳＵＰＬ）ロケーションプラットフォーム（ＳＬＰ）のうちの少なくとも１つを備える、Ｃ１に記載の方法。
［Ｃ２１］  前記無線アクセスネットワークがロング・ターム・エボリューション（ＬＴＥ）ネットワークを備え、前記１つまたは複数のネットワークベース測定値が、ロング・ターム・エボリューション測位プロトコル・アネックス（ＬＰＰａ）を使用して獲得される、Ｃ１に記載の方法。
［Ｃ２２］  １つまたは複数のメッセージを受信するための受信機と、
１つまたは複数のメッセージを送信するための送信機と、
ユーザ機器（ＵＥ）をサービスする無線アクセスネットワークから取得された１つまたは複数のネットワークベース測定値を処理することと、
前記１つまたは複数のネットワークベース測定値のうちの少なくとも１つを備える、前記ＵＥへの第１のメッセージの送信を開始することと
を行うためのプロセッサと
を備える、ロケーションサーバ。
［Ｃ２３］  前記プロセッサが、前記１つまたは複数のネットワークベース測定値を要求する、前記ＵＥから受信した第２のメッセージを処理することがさらに可能である、Ｃ２２に記載のロケーションサーバ。
［Ｃ２４］  前記第２のメッセージが、オープン・モバイル・アライアンス（ＯＭＡ）ロング・ターム・エボリューション測位プロトコル拡張（ＬＰＰｅ）ロケーション情報要求メッセージを備える、Ｃ２３に記載のロケーションサーバ。
［Ｃ２５］  前記第１のメッセージが、オープン・モバイル・アライアンス（ＯＭＡ）ロング・ターム・エボリューション測位プロトコル拡張（ＬＰＰｅ）ロケーション情報提供メッセージを備える、Ｃ２２に記載のロケーションサーバ。
［Ｃ２６］  前記１つまたは複数のネットワークベース測定値が往復時間測定値を備える、Ｃ２２に記載のロケーションサーバ。
［Ｃ２７］  前記１つまたは複数のネットワークベース測定値が送信機（Ｔｘ）−受信機（Ｒｘ）時間差測定値を備える、Ｃ２２に記載のロケーションサーバ。
［Ｃ２８］  前記１つまたは複数のネットワークベース測定値がアップリンク到着時間（差）測定値を備える、Ｃ２２に記載のロケーションサーバ。
［Ｃ２９］  前記第２のメッセージが、周期的またはイベントトリガ型ネットワーク測定値配信についての要求を備える、Ｃ２３に記載のロケーションサーバ。
［Ｃ３０］  前記プロセッサが、前記送信機を介して、周期的に、または前記１つまたは複数のネットワークベース測定値のうちの前記少なくとも１つが、１つまたは複数の前に報告された測定値に対して少なくともしきい値量だけ変化することに少なくとも部分的に応答して、前記第１のメッセージの送信を開始することがさらに可能である、Ｃ２３に記載のロケーションサーバ。
［Ｃ３１］  前記１つまたは複数のネットワークベース測定値が、基地局からの１つまたは複数の測定値を備える、Ｃ２２に記載のロケーションサーバ。
［Ｃ３２］  前記１つまたは複数のネットワークベース測定値が、無線アクセスネットワークからの１つまたは複数の測定値を備える、Ｃ２２に記載のロケーションサーバ。
［Ｃ３３］  前記プロセッサが、前記ＵＥから前記第２のメッセージを受信するより前に前記１つまたは複数のネットワークベース測定値を与えるために前記ロケーションサーバの能力を前記ＵＥに通知するための、前記ＵＥへのメッセージの送信を開始することがさらに可能である、Ｃ２３に記載のロケーションサーバ。
［Ｃ３４］  前記プロセッサが、前記ＵＥの能力を前記ロケーションサーバに通知するメッセージを処理することがさらに可能であり、前記１つまたは複数のネットワークベース測定値が前記能力中で示される、Ｃ２２に記載のロケーションサーバ。
［Ｃ３５］  前記ロケーションサーバの前記能力が、オープン・モバイル・アライアンス（ＯＭＡ）ロング・ターム・エボリューション測位プロトコル拡張（ＬＰＰｅ）能力提供メッセージを介して前記ＵＥに送信される、Ｃ３３に記載のロケーションサーバ。
［Ｃ３６］  前記１つまたは複数のネットワークベース測定値が１つまたは複数のユニバーサル・モバイル通信システム（ＵＭＴＳ）ベース測定値を備える、Ｃ２２に記載のロケーションサーバ。
［Ｃ３７］  前記１つまたは複数のネットワークベース測定値が到来角（ＡＯＡ）測定値を備える、Ｃ２２に記載のロケーションサーバ。
［Ｃ３８］  前記１つまたは複数のネットワークベース測定値が、ロケーション測定ユニット（ＬＭＵ）からの１つまたは複数の測定値を備える、Ｃ２２に記載のロケーションサーバ。
［Ｃ３９］  前記１つまたは複数のネットワークベース測定値が、ＷｉＦｉアクセスポイントからの１つまたは複数の測定値を備える、Ｃ２２に記載のロケーションサーバ。
［Ｃ４０］  前記１つまたは複数のネットワークベース測定値が、１つまたは複数のロング・ターム・エボリューション（ＬＴＥ）ベース測定値を備える、Ｃ２２に記載のロケーションサーバ。
［Ｃ４１］  前記ロケーションサーバが、スタンドアロン・サービングモバイルロケーションセンター（ＳＡＳ）、発展型サービングモバイルロケーションセンター（Ｅ−ＳＭＬＣ）、またはセキュアユーザプレーンロケーション（ＳＵＰＬ）ロケーションプラットフォーム（ＳＬＰ）のうちの少なくとも１つを備える、Ｃ２２に記載のロケーションサーバ。
［Ｃ４２］  前記無線アクセスネットワークがロング・ターム・エボリューション（ＬＴＥ）ネットワークを備え、前記１つまたは複数のネットワークベース測定値が、ロング・ターム・エボリューション測位プロトコル・アネックス（ＬＰＰａ）を使用して獲得される、Ｃ２２に記載のロケーションサーバ。
［Ｃ４３］  ロケーションサーバにおいて、ユーザ機器（ＵＥ）をサービスする無線アクセスネットワークから１つまたは複数のネットワークベース測定値を獲得するための手段と、
前記１つまたは複数のネットワークベース測定値のうちの少なくとも１つを備える、前記ＵＥへの第１のメッセージを送信するための手段と
を備える、装置。
［Ｃ４４］  前記１つまたは複数のネットワークベース測定値を要求する、前記ＵＥから受信した第２のメッセージを処理するための手段をさらに備える、Ｃ４３に記載の装置。
［Ｃ４５］  前記第２のメッセージが、オープン・モバイル・アライアンス（ＯＭＡ）ロング・ターム・エボリューション測位プロトコル拡張（ＬＰＰｅ）ロケーション情報要求メッセージを備える、Ｃ４４に記載の装置。
［Ｃ４６］  前記第１のメッセージが、オープン・モバイル・アライアンス（ＯＭＡ）ロング・ターム・エボリューション測位プロトコル拡張（ＬＰＰｅ）ロケーション情報提供メッセージを備える、Ｃ４３に記載の装置。
［Ｃ４７］  前記１つまたは複数のネットワークベース測定値が往復時間測定値を備える、Ｃ４３に記載の装置。
［Ｃ４８］  前記１つまたは複数のネットワークベース測定値が送信機（Ｔｘ）−受信機（Ｒｘ）時間差測定値を備える、Ｃ４３に記載の装置。
［Ｃ４９］  前記１つまたは複数のネットワークベース測定値がアップリンク到着時間（差）測定値を備える、Ｃ４３に記載の装置。
［Ｃ５０］  前記第２のメッセージが、周期的またはイベントトリガ型ネットワーク測定値配信についての要求を備える、Ｃ４４に記載の装置。
［Ｃ５１］  送信するための前記手段が、周期的に、または前記１つまたは複数のネットワークベース測定値のうちの前記少なくとも１つが、１つまたは複数の前に報告された測定値に対して少なくともしきい値量だけ変化することに少なくとも部分的に応答して、前記第１のメッセージを送信することが可能である、Ｃ４３に記載の装置。
［Ｃ５２］  前記１つまたは複数のネットワークベース測定値が、基地局からの１つまたは複数の測定値を備える、Ｃ４３に記載の装置。
［Ｃ５３］  前記１つまたは複数のネットワークベース測定値が、無線アクセスネットワークからの１つまたは複数の測定値を備える、Ｃ４３に記載の装置。
［Ｃ５４］  送信するための前記手段が、前記ＵＥから前記第２のメッセージを受信するより前に前記１つまたは複数のネットワークベース測定値を与えるために前記装置の能力を前記ＵＥに通知するための、前記ＵＥへのメッセージを送信することが可能である、Ｃ４４に記載の装置。
［Ｃ５５］  前記装置の前記能力が、オープン・モバイル・アライアンス（ＯＭＡ）ロング・ターム・エボリューション測位プロトコル拡張（ＬＰＰｅ）能力提供メッセージを介して前記ＵＥに送信される、Ｃ５４に記載の装置。
［Ｃ５６］  前記１つまたは複数のネットワークベース測定値が１つまたは複数のユニバーサル・モバイル通信システム（ＵＭＴＳ）ベース測定値を備える、Ｃ４３に記載の装置。
［Ｃ５７］  前記装置が、スタンドアロン・サービングモバイルロケーションセンター（ＳＡＳ）、発展型サービングモバイルロケーションセンター（Ｅ−ＳＭＬＣ）、またはセキュアユーザプレーンロケーション（ＳＵＰＬ）ロケーションプラットフォーム（ＳＬＰ）のうちの少なくとも１つを備える、Ｃ４３に記載の装置。
［Ｃ５８］    ロケーションサーバにおいて、ユーザ機器（ＵＥ）をサービスする無線アクセスネットワークから受信した１つまたは複数のネットワークベース測定値を処理することと、
前記１つまたは複数のネットワークベース測定値のうちの少なくとも１つを備える、前記ＵＥへの第１のメッセージの送信を開始することと
を行うように専用コンピューティング装置によって実行可能である機械可読命令を記憶した非一時的記憶媒体
を備える、物品。
［Ｃ５９］  前記命令が、前記１つまたは複数のネットワークベース測定値に少なくとも部分的に基づいて前記ＵＥから受信した第２のメッセージを処理するように、前記専用コンピューティング装置によってさらに実行可能である、Ｃ５８に記載の物品。
［Ｃ６０］  前記命令が、前記ＵＥから前記第２のメッセージを受信するより前に前記１つまたは複数のネットワークベース測定値を与えるためにロケーションサーバの能力を前記ＵＥに通知するための、メッセージの送信を開始するように、前記専用コンピューティング装置によってさらに実行可能である、Ｃ５９に記載の物品。
［Ｃ６１］  前記命令が、オープン・モバイル・アライアンス（ＯＭＡ）ロング・ターム・エボリューション測位プロトコル拡張（ＬＰＰｅ）能力提供メッセージを介して前記ＵＥへの前記ロケーションサーバの前記能力の送信を開始するように、前記専用コンピューティング装置によってさらに実行可能である、Ｃ６０に記載の物品。
［Ｃ６２］  ユーザ機器（ＵＥ）において、
１つまたは複数のネットワークベース測定値を備える、ロケーションサーバからの第１のメッセージを受信することと、
前記１つまたは複数のネットワークベース測定値に少なくとも部分的に基づいて前記ＵＥのロケーションを判断することと
を備える、方法。
［Ｃ６３］    前記１つまたは複数のネットワークベース測定値を要求する、前記ロケーションサーバへの第２のメッセージを送信することをさらに備える、Ｃ６２に記載の方法。
［Ｃ６４］  前記第２のメッセージが、オープン・モバイル・アライアンス（ＯＭＡ）ロング・ターム・エボリューション測位プロトコル拡張（ＬＰＰｅ）ロケーション情報要求メッセージを備える、Ｃ６３に記載の方法。
［Ｃ６５］  前記第１のメッセージが、オープン・モバイル・アライアンス（ＯＭＡ）ロング・ターム・エボリューション測位プロトコル拡張（ＬＰＰｅ）ロケーション情報提供メッセージを備える、Ｃ６２に記載の方法。
［Ｃ６６］  前記１つまたは複数のネットワークベース測定値が往復時間測定値を備える、Ｃ６２に記載の方法。
［Ｃ６７］  前記１つまたは複数のネットワークベース測定値が送信機（Ｔｘ）−受信機（Ｒｘ）時間差測定値を備える、Ｃ６２に記載の方法。
［Ｃ６８］  前記１つまたは複数のネットワークベース測定値がアップリンク到着時間（差）測定値を備える、Ｃ６２に記載の方法。
［Ｃ６９］  前記第２のメッセージが、周期的またはイベントトリガ型ネットワーク測定値配信についての要求を備える、Ｃ６３に記載の方法。
［Ｃ７０］  前記１つまたは複数のネットワークベース測定値が、基地局からの１つまたは複数の測定値を備える、Ｃ６２に記載の方法。
［Ｃ７１］  前記１つまたは複数のネットワークベース測定値が、無線アクセスネットワークからの１つまたは複数の測定値を備える、Ｃ６２に記載の方法。
［Ｃ７２］  前記ロケーションサーバに前記第２のメッセージを送信するより前に前記１つまたは複数のネットワークベース測定値を与えるための、前記ロケーションサーバの能力を受信することをさらに備える、Ｃ６３に記載の方法。
［Ｃ７３］  オープン・モバイル・アライアンス（ＯＭＡ）ロング・ターム・エボリューション測位プロトコル拡張（ＬＰＰｅ）能力提供メッセージを介して前記ロケーションサーバから前記ロケーションサーバの前記能力を受信することをさらに備える、Ｃ７２に記載の方法。
［Ｃ７４］  前記ＵＥの能力を前記ロケーションサーバに通知することをさらに備え、前記１つまたは複数のネットワークベース測定値が前記能力中で示される、Ｃ６２に記載の方法。
［Ｃ７５］  前記ＵＥのロケーションを推定するために、前記１つまたは複数のネットワークベース測定値をＵＥベース測定値と組み合わせることをさらに備える、Ｃ６２に記載の方法。
［Ｃ７６］  ユーザ機器（ＵＥ）であって、
１つまたは複数のメッセージを送信するための送信機と、
１つまたは複数のメッセージを受信するための受信機と、
ロケーションサーバから受信した第１のメッセージを処理することであって、前記第１のメッセージが、１つまたは複数のネットワークベース測定値のうちの１つを備える、処理することと、
前記１つまたは複数のネットワークベース測定値に少なくとも部分的に基づいて前記ＵＥのロケーションを推定することと
を行うためのプロセッサと
を備える、ＵＥ。
［Ｃ７７］  前記プロセッサが、前記１つまたは複数のネットワークベース測定値を要求する、前記ロケーションサーバへの第２のメッセージの送信を開始することがさらに可能である、Ｃ７６に記載のＵＥ。
［Ｃ７８］  前記１つまたは複数のネットワークベース測定値が、基地局からの１つまたは複数の測定値を備える、Ｃ７６に記載のＵＥ。
［Ｃ７９］  前記１つまたは複数のネットワークベース測定値が、無線アクセスネットワークからの１つまたは複数の測定値を備える、Ｃ７６に記載のＵＥ。
［Ｃ８０］  前記プロセッサが、前記ＵＥのロケーションを推定するために、前記１つまたは複数のネットワークベース測定値をＵＥベース測定値と組み合わせることが可能である、Ｃ７６に記載のＵＥ。
［Ｃ８１］  ユーザ機器（ＵＥ）であって、
１つまたは複数のネットワークベース測定値を備える、ロケーションサーバからの第１のメッセージを受信するための手段と、
前記１つまたは複数のネットワークベース測定値に少なくとも部分的に基づいて前記ＵＥのロケーションを推定するための手段と
を備える、ＵＥ。
［Ｃ８２］  前記１つまたは複数のネットワークベース測定値を要求する、前記ロケーションサーバへの第２のメッセージの送信を開始するための手段をさらに備える、Ｃ８１に記載のＵＥ。
［Ｃ８３］  前記１つまたは複数のネットワークベース測定値が、基地局からの１つまたは複数の測定値を備える、Ｃ８１に記載のＵＥ。
［Ｃ８４］  前記１つまたは複数のネットワークベース測定値が、無線アクセスネットワークからの１つまたは複数の測定値を備える、Ｃ８１に記載のＵＥ。
［Ｃ８５］  前記ＵＥのロケーションを推定するために、前記１つまたは複数のネットワークベース測定値をＵＥベース測定値と組み合わせるための手段をさらに備える、Ｃ８１に記載のＵＥ。
［Ｃ８６］    ユーザ機器（ＵＥ）においてロケーションサーバから受信した第１のメッセージを処理することであって、前記第１のメッセージが、１つまたは複数のネットワークベース測定値のうちの少なくとも１つを備える、処理することと、
前記１つまたは複数のネットワークベース測定値に少なくとも部分的に基づいて前記ＵＥのロケーションを推定することと
を行うように専用コンピューティング装置によって実行可能である機械可読命令を記憶した非一時的記憶媒体
を備える、物品。
［Ｃ８７］  前記命令が、前記１つまたは複数のネットワークベース測定値を要求する、前記ロケーションサーバへの第２のメッセージの送信を開始するように、前記専用コンピューティング装置によってさらに実行可能である、Ｃ８６に記載の物品。
［Ｃ８８］  前記命令が、前記ＵＥのロケーションを推定するために、前記１つまたは複数のネットワークベース測定値をＵＥベース測定値と組み合わせるように、前記専用コンピューティング装置によってさらに実行可能である、Ｃ８６に記載の物品。
【図３】
0006009537.tif 000002
【図４】
0006009537.tif 000003
【図１】
0006009537.tif 000004
【図２】
0006009537.tif 000005
【図５】
0006009537.tif 000006
【図６】
0006009537.tif 000007